(57)【要約】  制御部７ａは、地震センサ８の検出出力に基づいて地震が発生したか否かを判定しており、地震が発生したと判定すると、日没後の照明部３の点灯に際し、ＤＣ−ＤＣコンバータ７ｂを制御して、照明部３への供給電圧を通常よりも上昇させ、照明部３の照度を上昇させる。これにより、地震が検出された非常時には、照明装置１の照明が通常よりも明るくなって、人々に与える印象が大きくなり、照明装置１の避難場所などの目印としての役割を十分に果たすことができる。【特許請求の範囲】
【請求項１】
昼間に太陽電池の発電電力により蓄電池を充電し、夜間にこの蓄電池の放電電力により光源を点灯させる照明装置において、
地震を検出する地震センサと、
この地震センサにより地震が検出されると、夜間に点灯される上記光源の照度を上昇させる制御手段と
を備えることを特徴とする照明装置。
【請求項２】
上記光源は、ＬＥＤランプであり、
上記制御手段は、そのＬＥＤランプの印加電圧を上昇させることにより、当該ＬＥＤランプの照度を上昇させることを特徴とする請求項１に記載の照明装置。
【請求項３】
上記制御手段は、上記蓄電池の放電レベルを監視しており、上記地震センサによる地震の非検出時に、当該蓄電池の放電レベルが第１過放電レベルに達すると、上記光源の点灯を停止することを特徴とする請求項１に記載の照明装置。
【請求項４】
上記制御手段は、上記地震センサによる地震の検出時に、当該蓄電池の放電レベルが第１過放電レベルよりも低い第２過放電レベルに達すると、上記光源の照度を低下させることを特徴とする請求項３に記載の照明装置。
【請求項５】
上記制御手段は、上記地震センサによる地震の検出時に、当該蓄電池の放電レベルが第２過放電レベルよりも低い第３過放電レベルに達すると、上記光源の点灯を停止することを特徴とする請求項３に記載の照明装置。
【請求項６】
上記制御手段は、上記蓄電池の放電レベルを監視しており、上記地震センサによる地震の検出時に、当該蓄電池の放電レベルに応じて上記光源の照度を調節することを特徴とする請求項１に記載の照明装置。
【請求項７】
上記制御手段は、上記地震センサにより地震が検出されてから一定の日数期間だけ、夜間に点灯される上記光源の照度を上昇させることを特徴とする請求項１に記載の照明装置。
【請求項８】
上記光源は、ＬＥＤランプであり、上記制御手段は、上記地震センサにより地震が検出された後、通常時よりも長い時間上記光源を点灯することを特徴とする請求項１に記載の照明装置。
【請求項９】
上記光源は、ＬＥＤランプであり、上記制御手段は、上記地震センサによる地震の検出時に、上記蓄電池の放電レベルが第１過放電レベルよりも低い第２過放電レベルに達すると、上記光源の照度を低下させることにより、通常時よりも長い時間上記光源を点灯することを特徴とする請求項８に記載の照明装置。
【請求項１０】
上記光源は、ＬＥＤランプであり、上記制御手段は、上記地震センサによる地震の検出時に、上記蓄電池の放電レベルが第２過放電レベルよりも低い第３過放電レベルに達すると、上記光源の点灯を停止することを特徴とする請求項８に記載の照明装置。
【請求項１１】
上記光源は、ＬＥＤランプであり、上記制御手段は、上記蓄電池の放電レベルを監視しており、上記地震センサによる地震の検出時に、上記蓄電池の放電レベルに応じて光源の照度を調節することにより、通常時よりも長い時間上記光源を点灯することを特徴とする請求項８に記載の照明装置。
【発明の詳細な説明】
【技術分野】
【０００１】
本発明は、昼間に太陽電池の発電電力により蓄電池を充電し、夜間に蓄電池の放電電力により照明を行なう照明装置に関する。
【背景技術】
【０００２】
街路灯や常夜灯などの照明装置は、道路わき、公園、庭園等に設置されて、夜間になると点灯し、その周辺を照明する。この種の照明装置としては、商用交流電源の電力により点灯するものだけではなく、太陽電池と蓄電池を組み合わせてなる電源により点灯するものがある。【０００３】
後者の太陽電池と蓄電池を組み合わせた電源を利用する照明装置は、地震等の災害により商用交流電源が停電しても、点灯が可能であるという利点を有する。尚、前者の商用交流電源を利用する照明装置にも、停電時の点灯を可能にするために蓄電池を備えるものがある。【０００４】
更に、この種の照明装置を住宅地周辺に設置する場合は、住民が就寝する頃になると点灯を停止するという光害対策を行なうこともある。【０００５】
例えば、特許文献１には、太陽電池と蓄電池を利用する照明装置が開示されている。ここでは、公園などに設置される照明装置を想定しており、通常は、昼間に太陽電池の発電電力により蓄電池を充電し、夜間に蓄電池の放電電力により照明を行っている。また、無日照の日々が連続し、蓄電池の放電による夜毎の照明が繰り返されることにより、蓄電池の電力量が５０％程度に減って、蓄電池が過放電状態になったときには、夜の照明を停止して、蓄電池の寿命の低下を防止している。【０００６】
更に、この照明装置では、地震を検出する地震センサを設けており、地震センサにより地震が検出されると、地震発生直後の一夜に限り、蓄電池が５０％程度の過放電状態であっても、更に蓄電池の電力量が７０〜８０％程度に減るまで、夜間を通しての照明を行い、避難場所などの目印としての役割を果たしている。
【特許文献１】特開平１０−１２０１７号公報
【発明の開示】
【発明が解決しようとする課題】
【０００７】
しかしながら、特許文献１の照明装置では、地震が検出された非常時には、照明が必ず行われるものの、この非常時の照明態様と通常の照明態様との間に差違が全くなかった。このため、非常時の照明であっても、一般の人々に対しては単なる照明としての印象しか与えられず、避難場所などの目印としての役割を果たせない可能性が高かった。特に、地震発生直後、家屋倒壊や火災などにより埃や煙が発生したり、火山からの噴煙などが舞って、視界不良になったときには、非常時の照明態様が通常の照明態様と全く同じであることから、目印としての役割を到底果たすことができなかった。【０００８】
また、地震発生直後の一夜の点灯が行われても、蓄電池の電力量が７０〜８０％程度に減ってしまい、次の日が無日照であって、蓄電池の電力量が増えなければ、次の夜からの点灯が行われなくなった。しかも、大地震による停電は２〜３日程度続くことが多く、次の夜からの点灯が行われなければ、避難場所に避難した人々にとっては、不安を感じたり、「照明装置（常夜灯）が点灯する」という期待が裏切られることになっていた。【０００９】
そこで、本発明は、上記従来の問題点に鑑みてなされたものであり、非常時に、目印としての役割を十分に果たすことができ、人々からの期待を裏切ることがない照明装置を提供することを目的とする。
【課題を解決するための手段】
【００１０】
上記課題を解決するために、本発明照明装置は、昼間に太陽電池の発電電力により蓄電池を充電し、夜間にこの蓄電池の放電電力により光源を点灯させる照明装置において、地震を検出する地震センサと、この地震センサにより地震が検出されると、夜間に点灯される上記光源の照度を上昇させる制御手段とを備えることによって特徴付けられる。【００１１】
この構成において、上記光源をＬＥＤランプとし、上記制御手段を、そのＬＥＤランプの印加電圧を上昇させることにより、当該ＬＥＤランプの照度を上昇させる構成としてもよい。【００１２】
また、上記制御手段は、上記蓄電池の放電レベルを監視しており、上記地震センサによる地震の非検出時に、当該蓄電池の放電レベルが第１過放電レベルに達すると、上記光源の点灯を停止する構成であってもよい。【００１３】
さらに、上記制御手段を、上記地震センサによる地震の検出時に、当該蓄電池の放電レベルが第１過放電レベルよりも低い第２過放電レベルに達すると、上記光源の照度を低下させる構成としてもよい。【００１４】
さらにまた、上記制御手段を、上記地震センサによる地震の検出時に、当該蓄電池の放電レベルが第２過放電レベルよりも低い第３過放電レベルに達すると、上記光源の点灯を停止する構成としてもよい。【００１５】
あるいは、 上記制御手段は、上記蓄電池の放電レベルを監視しており、上記地震センサによる地震の検出時に、当該蓄電池の放電レベルに応じて上記光源の照度を調節する構成であってもよい。【００１６】
あるいは、上記制御手段は、上記地震センサにより地震が検出されてから一定の日数期間だけ、夜間に点灯される上記光源の照度を上昇させる構成であってもよい、
さらに、上記制御手段の各構成の限定に対し、それぞれ上記光源をＬＥＤランプに限定する構成を加えることが望ましい。
【発明の効果】
【００１７】
本発明の照明装置によれば、昼間に太陽電池の発電電力により蓄電池を充電し、夜間に蓄電池の放電電力により光源を点灯させることを前提とし、制御手段は、地震センサにより地震が検出されると、夜間に点灯される光源の照度を上昇させている。従って、地震が検出された非常時には、照明装置の照明が明るくなって、人々に与える印象が大きくなり、照明装置による避難場所などの目印としての役割を十分に果たすことができる。【００１８】
例えば、光源としてＬＥＤランプを用い、ＬＥＤランプの印加電圧を上昇させて、該ＬＥＤランプの照度を上昇させている。ＬＥＤは、その照度を印加電圧の変更により容易に制御することができる。また、ＬＥＤは、その発光効率が高く、電力容量が限られている蓄電池を電源とするならば、光源として好適である。【００１９】
また、蓄電池の放電レベルを監視し、地震センサによる地震の非検出時に、蓄電池の放電レベルが第１過放電レベルに達すると、光源の点灯を停止している。これにより、通常時には、蓄電池の過放電状態を抑えて、蓄電池の寿命の低下を防止することができる。【００２０】
そして、地震センサによる地震の検出時に、蓄電池の放電レベルが第１過放電レベルよりも低い第２過放電レベルに達すると、光源の照度を低下させている。これにより、非常時には、蓄電池の放電による光源の点灯時間を延長させることができる。例えば、大地震による停電が２〜３日程度続いても、夜の照明を繰り返すことができ、人々からの期待を裏切ることがない。【００２１】
更に、地震センサによる地震の検出時に、蓄電池の放電レベルが第２過放電レベルよりも低い第３過放電レベルに達すると、光源の点灯を停止している。これにより、非常時であっても、蓄電池の過放電状態に限度が与えられ、蓄電池の再充電が可能になる。【００２２】
あるいは、蓄電池の放電レベルを監視し、地震センサによる地震の検出時に、蓄電池の放電レベルに応じて光源の照度を調節している。これにより、非常時には、光源の照度を上昇させつつ、蓄電池の過放電状態を抑えることができる。【００２３】
また、地震センサにより地震が検出されてから一定の日数期間だけ、夜間に点灯される光源の照度を上昇させている。このため、大地震による停電が２〜３日程度続いても、その期間だけ、夜の照明が繰り返されることになる。
【図面の簡単な説明】
【００２４】
【図１】本発明の照明装置の実施例１を示す斜視図である。
【図２】照明部のＬＥＤランプを示す側面図である。
【図３】太陽電池、支持枠、及びシャフト等を示す断面図である。
【図４】太陽電池、蓄電池、制御部、ＤＣ−ＤＣコンバータ、及び地震センサを概略的に示すブロック図である。
【図５】蓄電池の満充電電圧、第１過放電電圧、第２過放電電圧、及び第３過放電電圧の高低を示す図である。
【図６】制御部及びＤＣ−ＤＣコンバータとその周辺を概略的に示す回路図である。
【図７】制御部の充電回路を示す回路図である。
【図８】充電回路における各信号を示すタイミングチャートである。
【図９】制御部の点灯消灯回路を示す回路図である。
【図１０】点灯消灯回路における通常時の各信号を示すタイミングチャートである。
【図１１】点灯消灯回路における非常時の各信号を示すタイミングチャートである。
【図１２】ＤＣ−ＤＣコンバータにおける各信号を示すタイミングチャートである。
【図１３】制御部の照度回路を示す回路図である。
【符号の説明】
【００２５】
１  照明装置
２  支柱
３  照明部
５  太陽電池
６  蓄電池
７  充放電ユニット
７ａ  制御部
７ｂ  ＤＣ−ＤＣコンバータ
８  地震センサ
１１  ベースプレート
１２  補強板
２１  第１ランプユニット
２２  第２ランプユニット
７１  充電回路
７２  点灯消灯回路
７３  照度回路       
【発明を実施するための最良の形態】
【００２６】
以下、本発明の実施例を添付図面を参照しつつ詳細に説明する。【００２７】
図１は、本発明の照明装置の実施例１を示す斜視図である。本実施例の照明装置１は、道路わき、公園、庭園等に設置されて、夜間になると点灯し、その周辺を照明する。【００２８】
この照明装置１では、支柱２の上部に照明部３及び太陽電池５を設け、支柱２内に複数の蓄電池６及び充放電ユニット７を縦に並べて収容し、支柱２内の下部に地震センサ８を配置している。充放電ユニット７は、制御部７ａ及びＤＣ−ＤＣコンバータ７ｂを備えており、太陽電池５の発電電力を各蓄電池６に充電したり、各蓄電池６の電力を照明部３に供給して、照明部３を点灯させる。地震センサ８は、例えば鋼球を利用した周知の水平感震センサである。【００２９】
支柱２は、厚さ２ｍｍのステンレス鋼板を板金加工して形成したものであり、四角柱状の中空である。また、ベースプレート１１及び各補強板１２は、ステンレス鋼板を切断加工したものである。【００３０】
支柱２をベースプレート１１の孔１１ａに通して、支柱２の下端より１ｍの箇所にベースプレート１１を固定し、支柱２の各側壁とベースプレート１１を４個の補強板１２により連結して、支柱２にベースプレート１１を強固に取り付けている。支柱２、ベースプレート１１、及び各補強板１２は、溶接もしくはネジ止めにより相互に固定される。【００３１】
支柱２の上部は、折れ曲がっており、折り曲げられた箇所の上側が傾斜頭部２ａとなり、下側が垂直胴部２ｂとなっている。【００３２】
照明部３は、傾斜頭部２ａの３個のＬＥＤランプ２１ａからなる第1ランプユニット２１と、同じく傾斜頭部２ａの３個のＬＥＤランプ２２ａからなる第２ランプユニット２２とを備える。図２に示す様に、各ＬＥＤランプ２１ａ、２２ａは、同一構造であり、１８個のＬＥＤ２３を基板２４上で円や多角形のラインに沿って幾何学的に配列し、各ＬＥＤ２３及び基板２４を散光球体２５により覆い、散光球体２５の開口端２５ａに口金２６を固定したものである。各ＬＥＤ２３は、基板２４の配線パターンにより相互に接続され、更に基板２４を介して口金２６に接続されている。散光球体２５は、例えばガラス球体の表面に散光性粒子を塗布したものであり、各ＬＥＤ２３からの光を散乱させる。各ＬＥＤ２３は、例えば半値全幅が１０度程度であり、照明方向の指向性が狭いものの、それらの光が散光球体２５により散乱される。このため、各ＬＥＤランプ２１ａ、２２ａとしての指向性は広くなる。【００３３】
支柱２の傾斜頭部２ａの下側壁板２ｃに６つの円形の孔２７を設け、各孔２７の奥にそれぞれのソケット（図示せず）を配列し固定している。各ＬＥＤランプ２１ａ、２２ａを各孔２７に通して、各ＬＥＤランプ２１ａ、２２ａの口金２６をそれぞれのソケットに差し込んで接続し、各ＬＥＤランプ２１ａ、２２ａの全てのＬＥＤ２３を各ソケットに接続する。【００３４】
この状態では、各ＬＥＤランプ２１ａ、２２ａは、２０乃至３０度で傾斜している傾斜頭部２ａに対して直交する方向に向き、支柱２の前方近傍に向く。従って、照明部３は、第1及び第２ランプユニット２１、２２により支柱２の前方近傍を照明する
また、各ＬＥＤランプ２１ａ、２２ａが１８個のＬＥＤ２３からなることから、照明部３の消費電力が数Ｗ程度に過ぎず、消費電力を低減することができる。このため、各蓄電池６として、２乃至６個の１２Ｖ長寿命蓄電池を適用すれば、太陽電池５と各蓄電池６との組み合わせからなる電源により、日照時間が殆ど無くても、５乃至１０日にわたって、照明部３を点灯させることが可能になる。このため、照明装置１は、単なる照明としてだけではなく、案内灯、保安灯、地震等の災害時の非常灯などの役目も果たすことができる。【００３５】
太陽電池５は、支持枠４１により支持されており、この支持枠４１が支柱２の垂直胴部２ｂ上端に突設されたシャフト４２により回転自在に支持されている。【００３６】
図３は、太陽電池５、支持枠４１、及びシャフト４２等を示す断面図である。太陽電池５は、２０乃至３０年の耐用期間を持つものであり、例えば単結晶又は多結晶の太陽電池セルを太陽光透過率の高い強化ガラス裏面に実装支持し、耐候性白色フィルムを貼り合わせて、ＥＶＡ（エチレン酢酸ビニル共重合体）やシリコーン樹脂等により補強し、更にコネクタボックス５ａを取り付けたものである。支持枠４１は、ステンレス鋼を板金加工して形成されたものであり、太陽電池５の縁を引っ掛けて支持している。また、支持枠４１の中央部が下方に膨らんで中空となっており、太陽電池５並びに支持枠４１の構造強度を増すと共に、デザイン的にも変化を設けている。ここに太陽電池５のコネクタボックス５ａが収納されている。更に、支持枠４１裏面には、太陽電池５の受光面に対して７０度〜４５度傾けて筒状のシャフト受け４３を突設している。【００３７】
支持枠４１は、その裏面のシャフト受け４３を支柱２の垂直胴部２ｂ上端のシャフト４２に嵌め込むことにより回転自在に支持される。受光面に対して７０度の状態では、太陽電池５の受光面が水平方向に対して２０度傾く。この２０度の傾きは、山影、至近の建物、構造物等により受光障害が多く発生するなど照明装置１の設置環境が悪く、太陽からの直接光が支柱２の上部の太陽電池５に殆ど入射しないときに、この直接光に代わって、空からの間接光を太陽電池５により多く入射させるために設定される。【００３８】
また、照明装置１の設置環境が良く、太陽からの直接光が支柱２上部の太陽電池５に入射するときには、太陽電池５の受光面を水平方向に対して略３５度傾けるのが良い。【００３９】
冬季多少の積雪がある地域、及び年間を通して１２月や１月等の日射量が極端に少ない地域などでは、積雪の滑雪効果も増大する略４５度傾けるのが良い。【００４０】
更に、支持枠４１を回転させて、太陽電池５による発電電力が最も大きくなる様に太陽電池５を南の方向近辺に向ける。【００４１】
次に、太陽電池５、各蓄電池６、充放電ユニット７、及び地震センサ８について述べる。【００４２】
図４は、太陽電池５、各蓄電池６、充放電ユニット７の制御部７ａとＤＣ−ＤＣコンバータ７ｂ、及び地震センサ８を概略的に示すブロック図である。ここで、太陽電池５の発電電力は、制御部７ａに供給される。制御部７ａは、太陽電池５の発電電力を各蓄電池６に充電する。また、日没後には、太陽電池５の発電電圧Ｖａが低下することから、制御部７ａは、太陽電池５の発電電圧Ｖａが一定の電圧Ｖｎ以下となる日没を感知し、各蓄電池６の電圧をＤＣ−ＤＣコンバータ７ｂを介して照明部３に印加し、照明部３を点灯させる。更に、制御部７ａは、照明部３の点灯時間を計時し、設定されたこの点灯時間が一定時間に達すると、照明部３への電圧印加を停止して、照明部３を消灯する。これは、一般に、深夜になると照明を必要としないことから、節電のために行われる。ただし、照明装置１の保安灯や非常灯としての役目を重視する場合は、明け方近くまで、蓄電池５の残存電力が一定値を下回らない範囲で、照明部３の点灯を継続しても良い。【００４３】
この点灯時間は１〜１０時間の任意の時間に設定でき、日没から日の出までと設定することもできる。【００４４】
また、制御部７ａは、地震センサ８の検出出力に基づいて地震が発生したか否かを判定しており、地震が発生したと判定すると、日没後の照明部３の点灯に際し、ＤＣ−ＤＣコンバータ７ｂを制御して、照明部３への供給電圧を通常よりも上昇させ、照明部３の照度を上昇させる。これにより、地震が検出された非常時には、照明装置１の照明が通常よりも明るくなって、人々に与える印象が大きくなり、照明装置１の避難場所などの目印としての役割を十分に果たすことができる。例えば、照明装置１が公園に設置されている場合は、多くの人々に対して公園が避難場所であることを知らせることができる。【００４５】
更に、制御部７ａは、各蓄電池６の電圧Ｖｂと、図５に示す様な予め設定された満充電電圧Ｖ０、第１過放電電圧Ｖ１、第２過放電電圧Ｖ２、及び第３過放電電圧Ｖ３とを比較し、この比較結果に基づいて各蓄電池６の充電もしくは放電状態を管理しつつ、各蓄電池６の寿命の低下を防止している。【００４６】
例えば、昼間に、太陽電池５から各蓄電池６への充電が無制限に行われると、各蓄電池６が過充電状態となって、各蓄電池６の寿命が低下することがある。このため、充制御部７ａは、各蓄電池６が満充電状態となって、各蓄電池６の電圧Ｖｂが上昇して満充電電圧Ｖ０に達すると、各蓄電池６の充電を停止して、各蓄電池６の寿命の低下を防止している。【００４７】
また、夜間に、各蓄電池６から照明部３への電力供給が無制限に行われると、各蓄電池６の過放電状態が進行して、各蓄電池６の寿命が低下する。このため、充制御部７ａは、各蓄電池６が５０％程度の過放電状態となり、各蓄電池６の電圧Ｖｂが低下して第１過放電圧Ｖ１に達すると、各蓄電池６からＤＣ−ＤＣコンバータ７ｂを介して照明部３への電力供給を停止する。これにより、各蓄電池６の過放電状態を抑えて、各蓄電池６の寿命の低下を防止することができる。【００４８】
また、地震が検出された非常時には、照明装置１の照明が必要であって、このときの照明が各蓄電池６の寿命低下よりも優先される。このため、充制御部７ａは、地震センサ８の検出出力に基づいて地震が発生したと判定すると、各蓄電池６の電圧Ｖｂが第１過放電圧Ｖ１に達しても、各蓄電池６からＤＣ−ＤＣコンバータ７ｂを介して照明部３への電力供給を継続して、照明部３を点灯させ、かつＤＣ−ＤＣコンバータ７ｂを制御して、照明部３への供給電圧を通常よりも上昇させ、照明部３の照度を上昇させる。【００４９】
別の実施の形態として、地震センサにより地震が検出された場合、通常時よりも長い時間光源を点灯するように設定されていてもよく、これにより避難場所を長く照明することが出来る。光源がＬＥＤであると、省電力で発光効率がよいというＬＥＤの大きなメリットが生かされて、一般の光源よりも長く点灯させることができる。更に、ＬＥＤは照射の指向性が強く、目的となるエリアに無駄なく光を行き届かせることが可能であり、この実施の形態では、完全独立型で必要な電力消費を抑えるという条件に適したものとなっている。【００５０】
ＬＥＤランプの出す光の波長は、虫が一番好むといわれている光のスペクトル、３４０ｎｍ〜３６０ｎｍ付近のスペクトル強度は０に等しく、虫が寄りにくい光源である為に、屋外で使う照明装置の光源として好適である。【００５１】
こうした完全独立型の照明装置では、メンテナンスフリーというファクターも要求される。ＬＥＤランプの期待寿命は約４万時間であり、非常に安定した光源である。従って、頻繁にランプを交換する必要がないため、長期的に見てコストも抑えられ、有益な光源である。【００５２】
更に、地震が検出された非常時に、照明部３の照度が上昇したままでは、各蓄電池６の電力供給量が多く、照明装置１の照明期間が短くなってしまう。このため、制御部７ａは、各蓄電池６が４０％程度の過放電状態となって、各蓄電池６の電圧Ｖｂが第１過放電圧Ｖ１よりも低い第２過放電電圧Ｖ２に達すると、照明部３の第２ランプユニット２２のみを消灯して、照明部３の照度を通常よりも低く抑える。これにより、非常時の照明部３の消費電力が低減され、照明装置１の照明期間を延長させることができる。【００５３】
そして、制御部７ａは、各蓄電池６から照明部３への電力供給が続行されて、各蓄電池６が２０％程度の過放電状態となり、各蓄電池６の電圧Ｖｂが第２過放電電圧Ｖ２よりも低い第３過放電電圧Ｖ３に達すると、各蓄電池６からＤＣ−ＤＣコンバータ７ｂを介して照明部３への電力供給を停止させ、照明部３を消灯させる。これにより、非常時であっても、各蓄電池６の過放電状態に限度が与えられ、各蓄電池６の再充電が可能になる。【００５４】
次に、充放電ユニット７の制御部７ａ及びＤＣ−ＤＣコンバータ７ｂの構成と動作を更に詳述する。【００５５】
図６は、制御部７ａ及びＤＣ−ＤＣコンバータ７ｂとその周辺を概略的に示す回路図である。図６に示す様に太陽電池５の正極及び負極を制御部７ａの各端子Ａ、Ｇにそれぞれ接続し、各蓄電池６の正極及び負極を制御部７ａの各端子Ｂ、Ｇにそれぞれ接続し、太陽電池５の負極、各蓄電池６の負極、及び端子Ｇを接地している。制御部７ａでは、各端子Ａ、Ｂ間にＦＥＴＱ１と逆電流防止用のダイオードＤ１を直列接続して挿入しており、ＦＥＴＱ１を充電回路７１によりオンオフ制御して、各蓄電池６を充電しつつ、各蓄電池６の過充電を防止する。【００５６】
また、照明部３の第１ランプユニット２１の正極をＤＣ−ＤＣコンバータ７ｂの出力端子Ｄに接続し、第１ランプユニット２１の負極を制御部７ａの端子Ｅ、電流制限抵抗Ｒ１−１、及び端子Ｇを介して接地している。また、照明部３の第２ランプユニット２２の正極をＤＣ−ＤＣコンバータ７ｂの出力端子Ｄに接続し、第２ランプユニット２２の負極を制御部７ａの端子Ｆ、電流制限抵抗Ｒ１−２、ＦＥＴＱ３、及び端子Ｇを介して接地している。制御部７ａでは、ＦＥＴＱ２を端子ＧとＤＣ−ＤＣコンバータ７ｂの入力端子Ｃ間に挿入しており、ＦＥＴＱ２を点灯消灯回路７２によりオンオフ制御して、ＤＣ−ＤＣコンバータ７ｂから第１及び第２ランプユニット２１、２２への電力供給を制御し、第１及び第２ランプユニット２１、２２を点灯させたり消灯させ、日没から一定時間の点灯、地震発生の非常時の点灯、通常時に各蓄電池６の電圧Ｖｂが第１過放電圧Ｖ１よりも低くなったときの消灯、及び地震発生の非常時に各蓄電池６の電圧Ｖｂが第３過放電圧Ｖ３よりも低くなったときの消灯等を行なう。【００５７】
尚、電流制限抵抗Ｒ１−１は、第１ランプユニット２１の電流検出用の抵抗としても用いられる。第１及び第２ランプユニット２１、２２は、同一構成であって、同一電流が流れるため、第１ランプユニット２１の電流を検出すれば、第２ランプユニット２２の電流も分かる。【００５８】
更に、制御部７ａでは、ＦＥＴＱ３を照度回路７３によりオンオフ制御しており、地震発生の非常時に各蓄電池６の電圧Ｖｂが第２過放電圧Ｖ２よりも低くなると、第２ランプユニット２２を消灯する。【００５９】
図７は、制御部７ａの充電回路７１を示す回路図である。また、図８は、充電回路７１における各信号を示すタイミングチャートである。図７及び図８を参照しつつ、充電回路７１の動作を説明する。【００６０】
ここでは、各蓄電池６の電圧Ｖｂを各抵抗Ｒ３、Ｒ４により分圧し、抵抗Ｒ４の端子電圧を比較器ＣＭＰ１の反転入力端子に加えている。また、定電圧が印加されている可変抵抗器Ｒ２を調節することにより、比較器ＣＭＰ１の非反転入力端子の電圧レベルを各蓄電池６の電圧Ｖｂが満充電電圧Ｖ０に達したときの抵抗Ｒ４の端子電圧に設定している。従って、比較器ＣＭＰ１は、抵抗Ｒ４の端子電圧と可変抵抗器Ｒ２により設定された電圧を比較して、各蓄電池６の電圧Ｖｂが満充電電圧Ｖ０に達したか否かを判定することができる。【００６１】
さて、各蓄電池６の電圧Ｖｂが満充電電圧Ｖ０未満のときには、比較器ＣＭＰ１の出力がハイレベルとなり、ＲＳフリップフロップＦＦ１の／Ｓ端子入力がハイレベルとなって、ＲＳフリップフロップＦＦ１のＱ端子出力がローレベルに維持される。このＱ端子出力のローレベルにより図６のＦＥＴＱ１がオンとなり、太陽電池５から各蓄電池６への電流経路が導通し、各蓄電池６が充電される。【００６２】
時点Ｔ１で、各蓄電池６が満充電状態になり、各蓄電池６の電圧Ｖｂが満充電電圧Ｖ０以上になると、比較器ＣＭＰ１の出力がローレベルとなり、ＲＳフリップフロップＦＦ１の／Ｓ端子入力がローレベルとなって、ＲＳフリップフロップＦＦ１のＱ端子出力がハイレベルになる。【００６３】
ＲＳフリップフロップＦＦ１のＱ端子出力がハイレベルになると、図６のＦＥＴＱ１がオンからオフに切り換わって、太陽電池５から各蓄電池６への電流経路が遮断される。これにより、各蓄電池６の充電が停止され、各蓄電池６の過充電が防止される。【００６４】
また、ＲＳフリップフロップＦＦ１のＱ端子出力がハイレベルになると、発振器ＯＳＣ１の／ＲＳ端子入力もハイレベルになる。これに応答して発振器ＯＳＣ１は、一定周期のパルス信号の出力を開始する。そして、カウンターＣＮＴ１は、発振器ＯＳＣ１からのパルス信号をバイナリーカウントする。【００６５】
次に、時点Ｔ２で、カウンターＣＮＴ１によりバイナリーカウントされている２進数計数値が予め設定された値、例えば８１９２（＝２14-1）に達すると、カウンターＣＮＴ１は、Ｑ１４端子出力をハイレベルにする。【００６６】
カウンターＣＮＴ１のＱ１４端子出力がハイレベルになると、ノット回路ＮＯＴ１の出力がローレベルになり、ＲＳフリップフロップＦＦ１の／Ｒ端子入力がローレベルになって、ＲＳフリップフロップＦＦ１がリセットされ、ＲＳフリップフロップＦＦ１のＱ端子出力がローレベルになる。これに伴ってＲＳフリップフロップＦＦ１の／Ｑ端子出力がハイレベルになり、この／Ｑ端子出力のハイレベルによりカウンターＣＮＴ１がリセットされ、カウンターＣＮＴ１のＱ１４端子出力がローレベルに戻り、ＲＳフリップフロップＦＦ１の／Ｒ端子入力がハイレベルに戻る。これにより、充電回路７１が元の状態に戻される。【００６７】
以降同様に、各蓄電池６が満充電状態であって、各蓄電池６の電圧Ｖｂが満充電電圧Ｖ０以上であれば、カウンターＣＮＴ１による発振器ＯＳＣ１のパルス信号の計数期間だけ、ＲＳフリップフロップＦＦ１のＱ端子出力がハイレベルに維持されて、図６のＦＥＴＱ１がオンからオフに切り換わり、各蓄電池６の充電が停止され、各蓄電池６の過充電が防止される。【００６８】
尚、各蓄電池６の充電が停止され期間は、発振器ＯＳＣ１の発振周期もしくはカウンターＣＮＴ１のどの出力端子から検出するかを設定することにより調節することができる。【００６９】
図９は、制御部７ａの点灯消灯回路７２を示す回路図である。また、図１０及び図１１は、点灯消灯回路７２における各信号を示すタイミングチャートである。図９、図１０、及び図１１を参照しつつ、点灯消灯回路７２の動作を説明する。【００７０】
ここでは、各蓄電池６の電圧Ｖｂを各抵抗Ｒ７、Ｒ８により分圧し、抵抗Ｒ８の端子電圧を比較器ＣＭＰ２の反転入力端子に加えている。また、定電圧が印加されている可変抵抗器Ｒ６を調節することにより、比較器ＣＭＰ２の非反転入力端子の電圧レベルを各蓄電池６の電圧Ｖｂが第１過放電電圧Ｖ１に達したときの抵抗Ｒ８の端子電圧に設定している。従って、比較器ＣＭＰ２は、抵抗Ｒ８の端子電圧と可変抵抗器Ｒ６により設定された電圧を比較して、各蓄電池６の電圧Ｖｂが第１過放電電圧Ｖ１に達したか否かを判定することができる。【００７１】
また、太陽電池５の発電電圧Ｖａを各抵抗Ｒ１０、Ｒ１１により分圧し、抵抗Ｒ１１の端子電圧を比較器ＣＭＰ３の非反転入力端子に加えている。また、定電圧が印加されている可変抵抗器Ｒ１２を調節することにより、比較器ＣＭＰ３の反転入力端子の電圧レベルを太陽電池５の発電電圧Ｖａが日没後の電圧まで低下したときの抵抗Ｒ１１の端子電圧に設定している。従って、比較器ＣＭＰ３は、可変抵抗器Ｒ１２により設定された電圧と抵抗Ｒ１１の端子電圧を比較して、日没後か否かを判定することができる。【００７２】
更に、地震センサ８の検出出力をローパスフィルタＬＰＦを介して比較器ＣＭＰ４の非反転入力端子に加えている。また、定電圧が印加されている可変抵抗器Ｒ１５を調節することにより、比較器ＣＭＰ４の反転入力端子の電圧レベルを地震センサ８により地震が検出されたときのローパスフィルタＬＰＦの出力レベルよりも僅かに高く設定している。従って、比較器ＣＭＰ４は、可変抵抗器Ｒ１５により設定された電圧とローパスフィルタＬＰＦの出力レベルを比較して、地震が発生したか否かを判定することができる。【００７３】
また、各蓄電池６の電圧Ｖｂを各抵抗Ｒ２２、Ｒ２３により分圧し、抵抗Ｒ２３の端子電圧を比較器ＣＭＰ６の反転入力端子に加えている。また、定電圧が印加されている可変抵抗器Ｒ２１を調節することにより、比較器ＣＭＰ６の非反転入力端子の電圧レベルを各蓄電池６の電圧Ｖｂが第３過放電電圧Ｖ３に達したときの抵抗Ｒ２３の端子電圧に設定している。従って、比較器ＣＭＰ６は、抵抗Ｒ２３の端子電圧と可変抵抗器Ｒ２１により設定された電圧を比較して、各蓄電池６の電圧Ｖｂが第３過放電電圧Ｖ３に達したか否かを判定することができる。【００７４】
さて、地震が発生していない通常時には、地震センサ８の検出出力が変化せず、比較器ＣＭＰ４の出力がハイレベルとなり、ＲＳフリップフロップＦＦ２の／Ｒ端子入力もハイレベルとなる。このとき、ＲＳフリップフロップＦＦ２のＱ端子出力がハイレベルであり、ノア回路ＮＯＲ３の出力がローレベルに維持され続ける。【００７５】
このとき、ノア回路ＮＯＲ４の出力レベルは、ノア回路ＮＯＲ３の出力がローレベルに維持されることから、ノア回路ＮＯＲ２からの出力レベルのみに応答して変化する。また、ノア回路ＮＯＲ３のローレベルの出力は、ＤＣ−ＤＣコンバータ７ｂの駆動回路８１に加えられる。駆動回路８１は、ノア回路ＮＯＲ３の出力がローレベルであれば、ＦＥＴＱ４をオフ状態に維持し、ＤＣ−ＤＣコンバータ７ｂによる昇圧動作を行なわない。ただし、各蓄電池６がＤＣ−ＤＣコンバータ７ｂのリアクトル８２及びダイオード８３を通じて照明部３に接続されるので、各蓄電池６から照明部３への電力供給が可能である。【００７６】
すなわち、地震が発生していない通常時は、ノア回路ＮＯＲ４の出力レベルがノア回路ＮＯＲ２の出力レベルのみに応答して変化し、ノア回路ＮＯＲ３の出力を無視することができ、またＤＣ−ＤＣコンバータ７ｂによる昇圧動作が行われない。【００７７】
図１０に示す通常時において、昼間は、太陽電池５の発電電圧が高いことから、比較器ＣＭＰ３の非反転入力端子の電圧レベルが高くなって、比較器ＣＭＰ３の出力がハイレベルになっている。このため、ノア回路ＮＯＲ２の１つの入力がハイレベルとなって、ノア回路ＮＯＲ２の出力がローレベルとなり、ノア回路ＮＯＲ４の出力がハイレベルとなる。このノア回路ＮＯＲ４の出力のハイレベルにより図６のＦＥＴＱ２がオフとなり、各蓄電池６からＤＣ−ＤＣコンバータ７ｂを介して照明部３への電流経路が遮断され、照明部３が消灯される。【００７８】
図１０の時点Ｔ１１で、日没になると、太陽電池５が発電しないことから、比較器ＣＭＰ３の非反転入力端子の電圧レベルが低くなって、比較器ＣＭＰ３の出力がローレベルになり、ノア回路ＮＯＲ２の１つの入力がローレベルとなる。【００７９】
このとき、各蓄電池６の充電状態が良好であれば、各蓄電池６の電圧Ｖｂが第１過放電電圧Ｖ１を超えていることから、比較器ＣＭＰ２の出力がローレベルに維持される。また、カウンターＣＮＴ２のＱ１４端子出力がローレベルに初期設定されている。このため、ノア回路ＮＯＲ２の他の２つの入力もローレベルとなる。【００８０】
従って、ノア回路ＮＯＲ２の３つの入力がローレベルとなり、ノア回路ＮＯＲ２の出力がハイレベルとなって、ノア回路ＮＯＲ４の出力がローレベルとなる。このノア回路ＮＯＲ４の出力のローレベルにより図６のＦＥＴＱ２がオンとなり、各蓄電池６からＤＣ−ＤＣコンバータ７ｂを介して照明部３への電流経路が導通し、照明部３が点灯される。【００８１】
また、ノア回路ＮＯＲ１の２つの入力もローレベルとなり、ノア回路ＮＯＲ１の出力レベルがハイレベルとなって、発振器ＯＳＣ２の／ＲＳ端子入力もハイレベルになり、発振器ＯＳＣ２による一定周期のパルス信号の出力が開始される。そして、カウンターＣＮＴ２は、発振器ＯＳＣ２からのパルス信号をバイナリーカウントする。【００８２】
次に、図１０の時点Ｔ１２で、カウンターＣＮＴ２によりバイナリーカウントされている２進数計数値が予め設定された値、例えば８１９２（＝２14-1）に達すると、カウンターＣＮＴ２は、Ｑ１４端子出力をハイレベルにする。【００８３】
カウンターＣＮＴ２のＱ１４端子出力がハイレベルになると、ノア回路ＮＯＲ２の１つの入力がハイレベルとなって、ノア回路ＮＯＲ２の出力がローレベルとなり、ノア回路ＮＯＲ４の出力がハイレベルとなる。このノア回路ＮＯＲ４の出力のハイレベルにより図６のＦＥＴＱ２がオフとなり、各蓄電池６からＤＣ−ＤＣコンバータ７ｂを介して照明部３への電流経路が遮断され、照明部３が消灯される。【００８４】
また、ノア回路ＮＯＲ１の１つの入力がハイレベルとなって、ノア回路ＮＯＲ１の出力がローレベルとなるので、発振器ＯＳＣ２による一定周期のパルス信号の出力が停止され、カウンターＣＮＴ２のＱ１４端子出力のハイレベルが維持され、ノア回路ＮＯＲ２のローレベルの出力、及びノア回路ＮＯＲ４のハイレベルの出力も維持される。【００８５】
従って、日没になってから、カウンターＣＮＴ２による一定の計数が終了するまで、つまり日没から一定時間だけ照明部３が点灯され、この後に照明部３が消灯される。この一定の点灯時間は、先に述べた様に１〜１０時間の任意の時間に設定でき、日没から日の出までと設定することもできる。【００８６】
この後、図１０の時点Ｔ１３で、日の出になると、太陽電池５の発電電力が上昇することから、比較器ＣＭＰ３の非反転入力端子の電圧レベルが高くなって、比較器ＣＭＰ３の出力がハイレベルになり、このハイレベルの出力によりカウンターＣＮＴ２の計数値が初期値に戻り、カウンターＣＮＴ２の出力がローレベルに戻される。【００８７】
ただし、カウンターＣＮＴ２の出力がローレベルに戻っても、比較器ＣＭＰ３の出力がハイレベルであって、ノア回路ＮＯＲ２の他の１つの入力がハイレベルとなるので、ノア回路ＮＯＲ２のローレベルの出力、及びノア回路ＮＯＲ４のハイレベルの出力が維持され、図６のＦＥＴＱ２がオフのままであり、照明部３が消灯され続ける。【００８８】
以降同様に、日々の日没毎に、日没から一定時間だけ照明部３が点灯され、この後に照明部３が消灯される。【００８９】
また、無日照の日々が連続し、照明部３の点灯により各蓄電池６の電力が消費されるばかりで、各蓄電池６の電力量が増えず、このために図１０の時点Ｔ１４で、各蓄電池６の電圧Ｖｂが第１過放電電圧Ｖ１以下になると、比較器ＣＭＰ２の出力がハイレベルになる。【００９０】
この場合は、ノア回路ＮＯＲ２の１つの入力がハイレベルに維持されるので、比較器ＣＭＰ３の出力レベルにかかわらず、つまり昼夜にかかわらず、ノア回路ＮＯＲ２のローレベルの出力、及びノア回路ＮＯＲ４のハイレベルの出力が維持され、図６のＦＥＴＱ２がオフのままとなり、照明部３が消灯され続ける。これにより、各蓄電池６の過放電状態が抑えられて、各蓄電池６の寿命の低下が防止される。【００９１】
次に、図１１に示す様に時点Ｔ２１で、地震が発生すると、地震センサ８により電流経路が繰り返し遮断され、ローパスフィルタＬＰＦの出力レベルが低下し、比較器ＣＭＰ４の出力がローレベルとなり、ＲＳフリップフロップＦＦ２の／Ｒ端子入力がハイレベルとなって、ＲＳフリップフロップＦＦ２のＱ端子出力がローレベルとなり、ノア回路ＮＯＲ３の１つの入力がローレベルとなる。【００９２】
このとき、夜間であれば、太陽電池５が発電しないことから、比較器ＣＭＰ３の非反転入力端子の電圧レベルが低くなって、比較器ＣＭＰ３の出力がローレベルになる。また、各蓄電池６の電圧Ｖｂが第３過放電電圧Ｖ３を超えていれば、比較器ＣＭＰ６の出力がローレベルに維持される。このため、ノア回路ＮＯＲ３の他の２つの入力もローレベルとなる。【００９３】
従って、ノア回路ＮＯＲ３の３つの入力がローレベルとなり、ノア回路ＮＯＲ３の出力がハイレベルとなって、ノア回路ＮＯＲ４の出力がローレベルとなる。このノア回路ＮＯＲ４の出力のローレベルにより図６のＦＥＴＱ２がオンとなり、各蓄電池６からＤＣ−ＤＣコンバータ７ｂを介して照明部３への電流経路が導通し、照明部３が点灯される。【００９４】
同時に、ノア回路ＮＯＲ３のハイレベルの出力がＤＣ−ＤＣコンバータ７ｂの駆動回路８１に加えられる。駆動回路８１は、ノア回路ＮＯＲ３からのハイレベルの出力に応答して、ＦＥＴＱ４をオンオフ制御し、ＤＣ−ＤＣコンバータ７ｂによる昇圧動作を行なう。これにより、照明部３の印加電圧が高められて、照明部３の照度が上昇する。【００９５】
ＤＣ−ＤＣコンバータ７ｂは、ＦＥＴＱ４、リアクトル８２、ダイオード８３、及びコンデンサ８４を備えており、図１２に示す様にＦＥＴＱ４をオンにして、ＦＥＴＱ４に電流Ｉｑ４を流し、リアクトル８２にエネルギーを貯め、ＦＥＴＱ４をオフにして、ＦＥＴＱ４の電流Ｉｑ４の流れを止め、リアクトル８２のエネルギーをコンデンサ８４に充電し、これを繰り返して昇圧電圧を出力している。【００９６】
尚、ＶＬはリアクトル８２の電圧、ＩＬはリアクトル８２の電流、ＩＤ２はダイオード８３の電流、Ｖｑ４はＦＥＴＱ４の電圧である。【００９７】
この様に地震発生の非常時には、夜間の如何なる時間であっても、照明部３が通常時よりも高い照度で点灯する。これにより、人々に与える印象が大きくなり、照明装置１による避難場所などの目印としての役割を十分に果たすことができる。【００９８】
また、ＲＳフリップフロップＦＦ２のＱ端子出力がローレベルになると、カウンターＣＮＴ３のＲＳ端子入力もローレベルとなり、カウンターＣＮＴ３による計数動作が開始される。【００９９】
次に、図１１の時点Ｔ２２で、日の出になると、太陽電池５の発電電圧が上昇することから、比較器ＣＭＰ３の非反転入力端子の電圧レベルが高くなって、比較器ＣＭＰ３の出力がハイレベルとなり、ノア回路ＮＯＲ３の他の１つの入力がハイレベルになる。このため、ノア回路ＮＯＲ３の出力がローレベルとなり、ノア回路ＮＯＲ４の出力がハイレベルとなる。このノア回路ＮＯＲ４の出力のハイレベルにより図６のＦＥＴＱ２がオフとなり、照明部３が消灯される。【０１００】
また、カウンターＣＮＴ３は、比較器ＣＭＰ３の出力をノット回路ＮＯＴ３を介して入力しており、ノット回路ＮＯＴ３の出力がハイレベルからローレベルに変化したときに計数値を歩進して、日の出の回数を計数する。【０１０１】
尚、先に述べた様に昼間は、ノア回路ＮＯＲ２の出力もローレベルとなることから、ノア回路ＮＯＲ４の出力が必ずハイレベルとなる。【０１０２】
次に、図１１の時点Ｔ２３で、日没になると、太陽電池５が発電しないことから、比較器ＣＭＰ３の非反転入力端子の電圧レベルが低くなって、比較器ＣＭＰ３の出力がローレベルになり、ＮＯＲ３の１つの入力がローレベルとなる。【０１０３】
このときにも、ＲＳフリップフロップＦＦ２のＱ端子出力がローレベルに維持される。また、各蓄電池６の電圧Ｖｂが第３過放電電圧Ｖ３を超えていれば、比較器ＣＭＰ６の出力がローレベルに維持される。このため、ノア回路ＮＯＲ３の他の２つの入力もローレベルとなる。【０１０４】
従って、ノア回路ＮＯＲ３の３つの入力がローレベルとなり、ノア回路ＮＯＲ３の出力がハイレベルとなって、ノア回路ＮＯＲ４の出力がローレベルとなる。このノア回路ＮＯＲ４の出力のローレベルにより図６のＦＥＴＱ２がオンとなり、照明部３が点灯される。同時に、ノア回路ＮＯＲ３のハイレベルの出力がＤＣ−ＤＣコンバータ７ｂの駆動回路８１に加えられて、昇圧動作が行なわれ、照明部３の照度が上昇する。【０１０５】
尚、地震発生の非常時にも、ノア回路ＮＯＲ１、ノア回路ＮＯＲ２、発振器ＯＳＣ２、及びカウンターＣＮＴ２が動作しているものの、ノア回路ＮＯＲ２の出力がハイレベルになっている期間は、ノア回路ＮＯＲ３の出力がハイレベルに必ずなっているので、ノア回路ＮＯＲ２の出力レベルを無視することができる。【０１０６】
また、照明部３の点灯により各蓄電池６の電力が消費され、各蓄電池６の電圧Ｖｂが第１過放電電圧Ｖ１以下になり、比較器ＣＭＰ２の出力がハイレベルになったときには、ノア回路ＮＯＲ２の１つの入力がハイレベルになって、ノア回路ＮＯＲ２の出力がローレベルになる。このとき、ノア回路ＮＯＲ４の出力レベルは、ノア回路ＮＯＲ２の出力がローレベルに維持されることから、ノア回路ＮＯＲ３からの出力レベルのみに応答して変化する。従って、やはりノア回路ＮＯＲ２の出力レベルが無視され、各蓄電池６の電圧Ｖｂが第１過放電電圧Ｖ１以下になっても、ノア回路ＮＯＲ３からの出力レベルにより照明部３の点灯が可能である。【０１０７】
次に、図１１の時点Ｔ２４で、日の出になると、太陽電池５の発電電圧が上昇することから、比較器ＣＭＰ３の非反転入力端子の電圧レベルが高くなって、比較器ＣＭＰ３の出力がハイレベルとなり、ノア回路ＮＯＲ３の１つの入力がハイレベルになる。このため、ノア回路ＮＯＲ３の出力がローレベルとなり、ノア回路ＮＯＲ４の出力がハイレベルとなる。このノア回路ＮＯＲ４の出力のハイレベルにより図６のＦＥＴＱ２がオフとなり、照明部３が消灯される。【０１０８】
また、カウンターＣＮＴ３は、比較器ＣＭＰ３の出力をノット回路ＮＯＴ３を介して入力し、ノット回路ＮＯＴ３の出力がハイレベルからローレベルに変化したときに計数値を歩進して、日の出の回数を計数する。【０１０９】
以降同様に、日没になると、照明部３が通常よりも高い照度で点灯され、日の出になると、照明部３が消灯されて、カウンターＣＮＴ３の計数値が歩進される。【０１１０】
そして、時点Ｔ２５で、地震が発生してから第３日目の夜が終了して、日の出になると、カウンターＣＮＴ３の計数値が予め設定された値（例えば３）に達して、カウンターＣＮＴ３の出力がハイレベルとなり、単安定発振器ＯＳＣ３のＡ端子入力もハイレベルになり、単安定発振器ＯＳＣ３からＲＳフリップフロップＦＦ２の／Ｓ端子へと１つのパルス信号が加えられる。これに応答してＲＳフリップフロップＦＦ２のＱ端子出力がハイレベルに切り換えられる。【０１１１】
これにより、以降は、ノア回路ＮＯＲ３の出力がローレベルに維持され続ける。従って、ノア回路ＮＯＲ４の出力レベルがノア回路ＮＯＲ２からの出力レベルのみに応答して変化することになり、通常の動作に戻る。【０１１２】
従って、地震発生の非常時には、第３日目の夜まで、夜毎に、照明部３が通常よりも高い照度で点灯される。このため、大地震による停電が２〜３日程度続いても、夜の照明が繰り返される。【０１１３】
また、地震発生の非常時に、照明部３の点灯により各蓄電池６の電力が消費されるばかりで、各蓄電池６の電力量が増えず、このために各蓄電池６の電圧Ｖｂが第３過放電電圧Ｖ３以下になると、比較器ＣＭＰ６の出力がハイレベルになる。【０１１４】
この場合は、ノア回路ＮＯＲ３の１つの入力がハイレベルに維持されるので、比較器ＣＭＰ３の出力レベルにかかわらず、つまり昼夜にかかわらず、ノア回路ＮＯＲ３のローレベルの出力、及びノア回路ＮＯＲ４のハイレベルの出力が維持され、図６のＦＥＴＱ２がオフのままとなり、照明部３が消灯され続ける。これにより、各蓄電池６の過放電状態に限度が与えられ、各蓄電池６の再充電が可能になる。【０１１５】
図１３は、制御部７ａの照度回路７３を示す回路図である。【０１１６】
この照度回路７３では、各蓄電池６の電圧Ｖｂを各抵抗Ｒ１７、Ｒ１８により分圧し、抵抗Ｒ１８の端子電圧を比較器ＣＭＰ５の非反転入力端子に加えている。また、定電圧が印加されている可変抵抗器Ｒ１９を調節することにより、比較器ＣＭＰ５の反転入力端子の電圧レベルを各蓄電池６の電圧Ｖｂが第２過放電電圧Ｖ２に達したときの抵抗Ｒ１８の端子電圧に設定している。従って、比較器ＣＭＰ５は、抵抗Ｒ１８の端子電圧と可変抵抗器Ｒ１９により設定された電圧を比較して、各蓄電池６の電圧Ｖｂが第２過放電電圧Ｖ２に達したか否かを判定することができる。【０１１７】
先に述べた様に地震発生の非常時には、各蓄電池６の電圧Ｖｂが第１過放電電圧Ｖ１以下になっても、照明部３が点灯され、その照度が通常よりも高くされる。従って、照明部３の消費電力も増大することになり、このために短期間で各蓄電池６の電圧Ｖｂが第３過放電電圧Ｖ３に達してしまい、照明部３の点灯を第３日目の夜まで継続することができなくなる虞がある。【０１１８】
そこで、比較器ＣＭＰ５は、各蓄電池６の電圧Ｖｂが第２過放電電圧Ｖ２に達すると、ハイレベルの出力をＦＥＴＱ３のゲートに加えて、ＦＥＴＱ３をオフに切り換えて、照明部３の第２ランプユニット２２の電流経路を遮断し、第２ランプユニット２２を消灯させる。【０１１９】
これにより、各蓄電池６の電圧Ｖｂが第２過放電電圧Ｖ２に低下してからは、照明部３の消費電力が節減され、照明装置１の照明期間を長くすることができ、大地震による停電が２〜３日程度続いても、夜の照明を繰り返すことが可能になり、人々からの期待を裏切ることがない。【０１２０】
通常時の点灯時間は、図１０に示すように、日没のＴ１１から点灯設定時間Ｔ１２までであるが、地震センサによる地震の検出時には、点灯時間は延長され、図１１に示すようにＴ２３の日没からＴ２４の日の出までとなる。この日没から日の出までの時間設定は、用途に応じて変更してもよい。尚、図１１では地震センサによる設定日数が３日とされているが、これも用途に応じて変更してもよい。【０１２１】
尚、本発明は、上記実施例に限定されるものではなく、多様に変形することができる。例えば、地震発生の非常時に、各蓄電池６の放電状態を検出し、この放電状態に応じて照明部３の照度を調節しも良い。これにより、照明部３の照度の上昇と、各蓄電池６の過放電状態の抑制との両立を図ることができる。【０１２２】
また、各ＬＥＤランプの個数や配置、及びＬＥＤランプの各ＬＥＤの個数や配置を適宜に変更しても良い。また、照明部３の照明方向を適宜に変更したり調節可能な構造を採用しても構わない。また、照明部３の照射光の色を相互に異ならせても良い。【０１２３】
更に、照明部３として、ＬＥＤランプの代わりに、他の種類の光源を採用しても良い。例えば、光源として蛍光灯を採用しても構わない。この場合は、蛍光灯を点灯させるためにインバータを用い、インバータにより蛍光灯に印加される交流電圧の周波数を変更することにより、蛍光灯の照度を上昇させれば良い。
【産業上の利用可能性】
【０１２４】
本発明の照明装置は、地震などの災害時に停電が続いても、夜間における常夜灯や避難場所の目印などとして機能し、非常時における信頼性の高い照明装置として有益である。
【図１】
2005086542.tif 000002
【図２】
2005086542.tif 000003
【図３】
2005086542.tif 000004
【図４】
2005086542.tif 000005
【図５】
2005086542.tif 000006
【図６】
2005086542.tif 000007
【図７】
2005086542.tif 000008
【図８】
2005086542.tif 000009
【図９】
2005086542.tif 000010
【図１０】
2005086542.tif 000011
【図１１】
2005086542.tif 000012
【図１２】
2005086542.tif 000013
【図１３】
2005086542.tif 000014
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
昼間に太陽電池の発電電力により蓄電池を充電し、夜間にこの蓄電池の放電電力により光源を点灯させる照明装置において、  地震を検出する地震センサと、  上記蓄電池の放電レベルを監視しているとともに、上記地震センサによる地震の検出時に、夜間に点灯される上記光源の照度を上昇させる制御手段を備えており、  この制御手段は、上記地震センサによる地震の非検出時には、当該蓄電池の放電レベルが第１過放電レベルに達すると、上記光源の点灯を停止し、  上記地震センサによる地震の検出時には、当該蓄電池の放電レベルが第１過放電レベルよりも低い第２過放電レベルに達すると、上記光源の照度を低下させ、当該蓄電池の放電レベルが第２過放電レベルよりも低い第３過放電レベルに達すると、上記光源の点灯を停止するよう構成されていることを特徴とする照明装置。
【請求項２】
上記光源は、ＬＥＤランプであり、  上記制御手段は、そのＬＥＤランプの印加電圧を上昇させることにより、当該ＬＥＤランプの照度を上昇させることを特徴とする請求項１に記載の照明装置。
【請求項３】
上記制御手段は、上記蓄電池の放電レベルを監視しており、上記地震センサによる地震の検出時に、当該蓄電池の放電レベルに応じて上記光源の照度を調節することを特徴とする請求項１または２に記載の照明装置。
【請求項４】
上記制御手段は、上記地震センサにより地震が検出されてから一定の日数期間だけ、夜間に点灯される上記光源の照度を上昇させることを特徴とする請求項１〜３のいずれかに記載の照明装置。
【手続補正２】
【補正対象書類名】明細書
【補正対象項目名】全文
【補正方法】変更
【補正の内容】
【発明の詳細な説明】
【技術分野】
【０００１】  本発明は、昼間に太陽電池の発電電力により蓄電池を充電し、夜間に蓄電池の放電電力により照明を行なう照明装置に関する。
【背景技術】
【０００２】  街路灯や常夜灯などの照明装置は、道路わき、公園、庭園等に設置されて、夜間になると点灯し、その周辺を照明する。この種の照明装置としては、商用交流電源の電力により点灯するものだけではなく、太陽電池と蓄電池を組み合わせてなる電源により点灯するものがある。【０００３】  後者の太陽電池と蓄電池を組み合わせた電源を利用する照明装置は、地震等の災害により商用交流電源が停電しても、点灯が可能であるという利点を有する。尚、前者の商用交流電源を利用する照明装置にも、停電時の点灯を可能にするために蓄電池を備えるものがある。【０００４】  更に、この種の照明装置を住宅地周辺に設置する場合は、住民が就寝する頃になると点灯を停止するという光害対策を行なうこともある。【０００５】  例えば、特許文献１には、太陽電池と蓄電池を利用する照明装置が開示されている。ここでは、公園などに設置される照明装置を想定しており、通常は、昼間に太陽電池の発電電力により蓄電池を充電し、夜間に蓄電池の放電電力により照明を行っている。また、無日照の日々が連続し、蓄電池の放電による夜毎の照明が繰り返されることにより、蓄電池の電力量が５０％程度に減って、蓄電池が過放電状態になったときには、夜の照明を停止して、蓄電池の寿命の低下を防止している。【０００６】  更に、この照明装置では、地震を検出する地震センサを設けており、地震センサにより地震が検出されると、地震発生直後の一夜に限り、蓄電池が５０％程度の過放電状態であっても、更に蓄電池の電力量が７０〜８０％程度に減るまで、夜間を通しての照明を行い、避難場所などの目印としての役割を果たしている。【特許文献１】特開平１０−１２０１７号公報
【発明の開示】
【発明が解決しようとする課題】
【０００７】  しかしながら、特許文献１の照明装置では、地震が検出された非常時には、照明が必ず行われるものの、この非常時の照明態様と通常の照明態様との間に差違が全くなかった。このため、非常時の照明であっても、一般の人々に対しては単なる照明としての印象しか与えられず、避難場所などの目印としての役割を果たせない可能性が高かった。特に、地震発生直後、家屋倒壊や火災などにより埃や煙が発生したり、火山からの噴煙などが舞って、視界不良になったときには、非常時の照明態様が通常の照明態様と全く同じであることから、目印としての役割を到底果たすことができなかった。【０００８】  また、地震発生直後の一夜の点灯が行われても、蓄電池の電力量が７０〜８０％程度に減ってしまい、次の日が無日照であって、蓄電池の電力量が増えなければ、次の夜からの点灯が行われなくなった。しかも、大地震による停電は２〜３日程度続くことが多く、次の夜からの点灯が行われなければ、避難場所に避難した人々にとっては、不安を感じたり、「照明装置（常夜灯）が点灯する」という期待が裏切られることになっていた。【０００９】  そこで、本発明は、上記従来の問題点に鑑みてなされたものであり、非常時に、目印としての役割を十分に果たすことができ、人々からの期待を裏切ることがない照明装置を提供することを目的とする。
【課題を解決するための手段】
【００１０】  上記課題を解決するために、本発明照明装置は、昼間に太陽電池の発電電力により蓄電池を充電し、夜間にこの蓄電池の放電電力により光源を点灯させる照明装置において、地震を検出する地震センサと、上記蓄電池の放電レベルを監視しているとともに、上記地震センサによる地震の検出時に、夜間に点灯される上記光源の照度を上昇させる制御手段を備えており、この制御手段は、上記地震センサによる地震の非検出時には、当該蓄電池の放電レベルが第１過放電レベルに達すると、上記光源の点灯を停止し、上記地震センサによる地震の検出時には、当該蓄電池の放電レベルが第１過放電レベルよりも低い第２過放電レベルに達すると、上記光源の照度を低下させ、当該蓄電池の放電レベルが第２過放電レベルよりも低い第３過放電レベルに達すると、上記光源の点灯を停止するよう構成されていることによって特徴付けられる。  【００１１】  この構成において、上記光源は、ＬＥＤランプであり、上記制御手段は、そのＬＥＤランプの印加電圧を上昇させることにより、当該ＬＥＤランプの照度を上昇させる構成であってもよい。【００１２】  また、上記制御手段は、上記蓄電池の放電レベルを監視しており、上記地震センサによる地震の検出時に、当該蓄電池の放電レベルに応じて上記光源の照度を調節する構成であってもよい。【００１３】  さらに、上記制御手段は、上記地震センサにより地震が検出されてから一定の日数期間だけ、夜間に点灯される上記光源の照度を上昇させる構成であってもよい。
【発明の効果】
【００１４】  本発明の照明装置によれば、昼間に太陽電池の発電電力により蓄電池を充電し、夜間に蓄電池の放電電力により光源を点灯させることを前提とし、制御手段は、地震センサにより地震が検出されると、夜間に点灯される光源の照度を上昇させている。従って、地震が検出された非常時には、照明装置の照明が明るくなって、人々に与える印象が大きくなり、照明装置による避難場所などの目印としての役割を十分に果たすことができる。【００１５】  例えば、光源としてＬＥＤランプを用い、ＬＥＤランプの印加電圧を上昇させて、該ＬＥＤランプの照度を上昇させている。ＬＥＤは、その照度を印加電圧の変更により容易に制御することができる。また、ＬＥＤは、その発光効率が高く、電力容量が限られている蓄電池を電源とするならば、光源として好適である。【００１６】  また、蓄電池の放電レベルを監視し、地震センサによる地震の非検出時に、蓄電池の放電レベルが第１過放電レベルに達すると、光源の点灯を停止している。これにより、通常時には、蓄電池の過放電状態を抑えて、蓄電池の寿命の低下を防止することができる。【００１７】  そして、地震センサによる地震の検出時に、蓄電池の放電レベルが第１過放電レベルよりも低い第２過放電レベルに達すると、光源の照度を低下させている。これにより、非常時には、蓄電池の放電による光源の点灯時間を延長させることができる。例えば、大地震による停電が２〜３日程度続いても、夜の照明を繰り返すことができ、人々からの期待を裏切ることがない。【００１８】  更に、地震センサによる地震の検出時に、蓄電池の放電レベルが第２過放電レベルよりも低い第３過放電レベルに達すると、光源の点灯を停止している。これにより、非常時であっても、蓄電池の過放電状態に限度が与えられ、蓄電池の再充電が可能になる。【００１９】  あるいは、蓄電池の放電レベルを監視し、地震センサによる地震の検出時に、蓄電池の放電レベルに応じて光源の照度を調節している。これにより、非常時には、光源の照度を上昇させつつ、蓄電池の過放電状態を抑えることができる。【００２０】  また、地震センサにより地震が検出されてから一定の日数期間だけ、夜間に点灯される光源の照度を上昇させている。このため、大地震による停電が２〜３日程度続いても、その期間だけ、夜の照明が繰り返されることになる。
【発明を実施するための最良の形態】
【００２１】  以下、本発明の実施例を添付図面を参照しつつ詳細に説明する。【００２２】  図１は、本発明の照明装置の実施例１を示す斜視図である。本実施例の照明装置１は、道路わき、公園、庭園等に設置されて、夜間になると点灯し、その周辺を照明する。【００２３】  この照明装置１では、支柱２の上部に照明部３及び太陽電池５を設け、支柱２内に複数の蓄電池６及び充放電ユニット７を縦に並べて収容し、支柱２内の下部に地震センサ８を配置している。充放電ユニット７は、制御部７ａ及びＤＣ−ＤＣコンバータ７ｂを備えており、太陽電池５の発電電力を各蓄電池６に充電したり、各蓄電池６の電力を照明部３に供給して、照明部３を点灯させる。地震センサ８は、例えば鋼球を利用した周知の水平感震センサである。【００２４】  支柱２は、厚さ２ｍｍのステンレス鋼板を板金加工して形成したものであり、四角柱状の中空である。また、ベースプレート１１及び各補強板１２は、ステンレス鋼板を切断加工したものである。【００２５】  支柱２をベースプレート１１の孔１１ａに通して、支柱２の下端より１ｍの箇所にベースプレート１１を固定し、支柱２の各側壁とベースプレート１１を４個の補強板１２により連結して、支柱２にベースプレート１１を強固に取り付けている。支柱２、ベースプレート１１、及び各補強板１２は、溶接もしくはネジ止めにより相互に固定される。【００２６】  支柱２の上部は、折れ曲がっており、折り曲げられた箇所の上側が傾斜頭部２ａとなり、下側が垂直胴部２ｂとなっている。【００２７】  照明部３は、傾斜頭部２ａの３個のＬＥＤランプ２１ａからなる第1ランプユニット２１と、同じく傾斜頭部２ａの３個のＬＥＤランプ２２ａからなる第２ランプユニット２２とを備える。図２に示す様に、各ＬＥＤランプ２１ａ、２２ａは、同一構造であり、１８個のＬＥＤ２３を基板２４上で円や多角形のラインに沿って幾何学的に配列し、各ＬＥＤ２３及び基板２４を散光球体２５により覆い、散光球体２５の開口端２５ａに口金２６を固定したものである。各ＬＥＤ２３は、基板２４の配線パターンにより相互に接続され、更に基板２４を介して口金２６に接続されている。散光球体２５は、例えばガラス球体の表面に散光性粒子を塗布したものであり、各ＬＥＤ２３からの光を散乱させる。各ＬＥＤ２３は、例えば半値全幅が１０度程度であり、照明方向の指向性が狭いものの、それらの光が散光球体２５により散乱される。このため、各ＬＥＤランプ２１ａ、２２ａとしての指向性は広くなる。【００２８】  支柱２の傾斜頭部２ａの下側壁板２ｃに６つの円形の孔２７を設け、各孔２７の奥にそれぞれのソケット（図示せず）を配列し固定している。各ＬＥＤランプ２１ａ、２２ａを各孔２７に通して、各ＬＥＤランプ２１ａ、２２ａの口金２６をそれぞれのソケットに差し込んで接続し、各ＬＥＤランプ２１ａ、２２ａの全てのＬＥＤ２３を各ソケットに接続する。【００２９】  この状態では、各ＬＥＤランプ２１ａ、２２ａは、２０乃至３０度で傾斜している傾斜頭部２ａに対して直交する方向に向き、支柱２の前方近傍に向く。従って、照明部３は、第1及び第２ランプユニット２１、２２により支柱２の前方近傍を照明する。【００３０】  また��各ＬＥＤランプ２１ａ、２２ａが１８個のＬＥＤ２３からなることから、照明部３の消費電力が数Ｗ程度に過ぎず、消費電力を低減することができる。このため、各蓄電池６として、２乃至６個の１２Ｖ長寿命蓄電池を適用すれば、太陽電池５と各蓄電池６との組み合わせからなる電源により、日照時間が殆ど無くても、５乃至１０日にわたって、照明部３を点灯させることが可能になる。このため、照明装置１は、単なる照明としてだけではなく、案内灯、保安灯、地震等の災害時の非常灯などの役目も果たすことができる。【００３１】  太陽電池５は、支持枠４１により支持されており、この支持枠４１が支柱２の垂直胴部２ｂ上端に突設されたシャフト４２により回転自在に支持されている。【００３２】  図３は、太陽電池５、支持枠４１、及びシャフト４２等を示す断面図である。太陽電池５は、２０乃至３０年の耐用期間を持つものであり、例えば単結晶又は多結晶の太陽電池セルを太陽光透過率の高い強化ガラス裏面に実装支持し、耐候性白色フィルムを貼り合わせて、ＥＶＡ（エチレン酢酸ビニル共重合体）やシリコーン樹脂等により補強し、更にコネクタボックス５ａを取り付けたものである。支持枠４１は、ステンレス鋼を板金加工して形成されたものであり、太陽電池５の縁を引っ掛けて支持している。また、支持枠４１の中央部が下方に膨らんで中空となっており、太陽電池５並びに支持枠４１の構造強度を増すと共に、デザイン的にも変化を設けている。ここに太陽電池５のコネクタボックス５ａが収納されている。更に、支持枠４１裏面には、太陽電池５の受光面に対して７０度〜４５度傾けて筒状のシャフト受け４３を突設している。【００３３】  支持枠４１は、その裏面のシャフト受け４３を支柱２の垂直胴部２ｂ上端のシャフト４２に嵌め込むことにより回転自在に支持される。受光面に対して７０度の状態では、太陽電池５の受光面が水平方向に対して２０度傾く。この２０度の傾きは、山影、至近の建物、構造物等により受光障害が多く発生するなど照明装置１の設置環境が悪く、太陽からの直接光が支柱２の上部の太陽電池５に殆ど入射しないときに、この直接光に代わって、空からの間接光を太陽電池５により多く入射させるために設定される。【００３４】  また、照明装置１の設置環境が良く、太陽からの直接光が支柱２上部の太陽電池５に入射するときには、太陽電池５の受光面を水平方向に対して略３５度傾けるのが良い。【００３５】  冬季多少の積雪がある地域、及び年間を通して１２月や１月等の日射量が極端に少ない地域などでは、積雪の滑雪効果も増大する略４５度傾けるのが良い。【００３６】  更に、支持枠４１を回転させて、太陽電池５による発電電力が最も大きくなる様に太陽電池５を南の方向近辺に向ける。【００３７】  次に、太陽電池５、各蓄電池６、充放電ユニット７、及び地震センサ８について述べる。【００３８】  図４は、太陽電池５、各蓄電池６、充放電ユニット７の制御部７ａとＤＣ−ＤＣコンバータ７ｂ、及び地震センサ８を概略的に示すブロック図である。ここで、太陽電池５の発電電力は、制御部７ａに供給される。制御部７ａは、太陽電池５の発電電力を各蓄電池６に充電する。また、日没後には、太陽電池５の発電電圧Ｖａが低���することから、制御部７ａは、太陽電池５の発電電圧Ｖａが一定の電圧Ｖｎ以下となる日没を感知し、各蓄電池６の電圧をＤＣ−ＤＣコンバータ７ｂを介して照明部３に印加し、照明部３を点灯させる。更に、制御部７ａは、照明部３の点灯時間を計時し、設定されたこの点灯時間が一定時間に達すると、照明部３への電圧印加を停止して、照明部３を消灯する。これは、一般に、深夜になると照明を必要としないことから、節電のために行われる。ただし、照明装置１の保安灯や非常灯としての役目を重視する場合は、明け方近くまで、蓄電池５の残存電力が一定値を下回らない範囲で、照明部３の点灯を継続しても良い。【００３９】  この点灯時間は１〜１０時間の任意の時間に設定でき、日没から日の出までと設定することもできる。【００４０】  また、制御部７ａは、地震センサ８の検出出力に基づいて地震が発生したか否かを判定しており、地震が発生したと判定すると、日没後の照明部３の点灯に際し、ＤＣ−ＤＣコンバータ７ｂを制御して、照明部３への供給電圧を通常よりも上昇させ、照明部３の照度を上昇させる。これにより、地震が検出された非常時には、照明装置１の照明が通常よりも明るくなって、人々に与える印象が大きくなり、照明装置１の避難場所などの目印としての役割を十分に果たすことができる。例えば、照明装置１が公園に設置されている場合は、多くの人々に対して公園が避難場所であることを知らせることができる。【００４１】  更に、制御部７ａは、各蓄電池６の電圧Ｖｂと、図５に示す様な予め設定された満充電電圧Ｖ０、第１過放電電圧Ｖ１、第２過放電電圧Ｖ２、及び第３過放電電圧Ｖ３とを比較し、この比較結果に基づいて各蓄電池６の充電もしくは放電状態を管理しつつ、各蓄電池６の寿命の低下を防止している。【００４２】  例えば、昼間に、太陽電池５から各蓄電池６への充電が無制限に行われると、各蓄電池６が過充電状態となって、各蓄電池６の寿命が低下することがある。このため、充制御部７ａは、各蓄電池６が満充電状態となって、各蓄電池６の電圧Ｖｂが上昇して満充電電圧Ｖ０に達すると、各蓄電池６の充電を停止して、各蓄電池６の寿命の低下を防止している。【００４３】  また、夜間に、各蓄電池６から照明部３への電力供給が無制限に行われると、各蓄電池６の過放電状態が進行して、各蓄電池６の寿命が低下する。このため、充制御部７ａは、各蓄電池６が５０％程度の過放電状態となり、各蓄電池６の電圧Ｖｂが低下して第１過放電圧Ｖ１に達すると、各蓄電池６からＤＣ−ＤＣコンバータ７ｂを介して照明部３への電力供給を停止する。これにより、各蓄電池６の過放電状態を抑えて、各蓄電池６の寿命の低下を防止することができる。【００４４】  また、地震が検出された非常時には、照明装置１の照明が必要であって、このときの照明が各蓄電池６の寿命低下よりも優先される。このため、充制御部７ａは、地震センサ８の検出出力に基づいて地震が発生したと判定すると、各蓄電池６の電圧Ｖｂが第１過放電圧Ｖ１に達しても、各蓄電池６からＤＣ−ＤＣコンバータ７ｂを介して照明部３への電力供給を継続して、照明部３を点灯させ、かつＤＣ−ＤＣコンバータ７ｂを制御して、照明部３への供給電圧を通常よりも上昇さ���、照明部３の照度を上昇させる。【００４５】  別の実施の形態として、地震センサにより地震が検出された場合、通常時よりも長い時間光源を点灯するように設定されていてもよく、これにより避難場所を長く照明することが出来る。光源がＬＥＤであると、省電力で発光効率がよいというＬＥＤの大きなメリットが生かされて、一般の光源よりも長く点灯させることができる。更に、ＬＥＤは照射の指向性が強く、目的となるエリアに無駄なく光を行き届かせることが可能であり、この実施の形態では、完全独立型で必要な電力消費を抑えるという条件に適したものとなっている。【００４６】  ＬＥＤランプの出す光の波長は、虫が一番好むといわれている光のスペクトル、３４０ｎｍ〜３６０ｎｍ付近のスペクトル強度は０に等しく、虫が寄りにくい光源である為に、屋外で使う照明装置の光源として好適である。【００４７】  こうした完全独立型の照明装置では、メンテナンスフリーというファクターも要求される。ＬＥＤランプの期待寿命は約４万時間であり、非常に安定した光源である。従って、頻繁にランプを交換する必要がないため、長期的に見てコストも抑えられ、有益な光源である。【００４８】  更に、地震が検出された非常時に、照明部３の照度が上昇したままでは、各蓄電池６の電力供給量が多く、照明装置１の照明期間が短くなってしまう。このため、制御部７ａは、各蓄電池６が４０％程度の過放電状態となって、各蓄電池６の電圧Ｖｂが第１過放電圧Ｖ１よりも低い第２過放電電圧Ｖ２に達すると、照明部３の第２ランプユニット２２のみを消灯して、照明部３の照度を通常よりも低く抑える。これにより、非常時の照明部３の消費電力が低減され、照明装置１の照明期間を延長させることができる。【００４９】  そして、制御部７ａは、各蓄電池６から照明部３への電力供給が続行されて、各蓄電池６が２０％程度の過放電状態となり、各蓄電池６の電圧Ｖｂが第２過放電電圧Ｖ２よりも低い第３過放電電圧Ｖ３に達すると、各蓄電池６からＤＣ−ＤＣコンバータ７ｂを介して照明部３への電力供給を停止させ、照明部３を消灯させる。これにより、非常時であっても、各蓄電池６の過放電状態に限度が与えられ、各蓄電池６の再充電が可能になる。【００５０】  次に、充放電ユニット７の制御部７ａ及びＤＣ−ＤＣコンバータ７ｂの構成と動作を更に詳述する。【００５１】  図６は、制御部７ａ及びＤＣ−ＤＣコンバータ７ｂとその周辺を概略的に示す回路図である。図６に示す様に太陽電池５の正極及び負極を制御部７ａの各端子Ａ、Ｇにそれぞれ接続し、各蓄電池６の正極及び負極を制御部７ａの各端子Ｂ、Ｇにそれぞれ接続し、太陽電池５の負極、各蓄電池６の負極、及び端子Ｇを接地している。制御部７ａでは、各端子Ａ、Ｂ間にＦＥＴＱ１と逆電流防止用のダイオードＤ１を直列接続して挿入しており、ＦＥＴＱ１を充電回路７１によりオンオフ制御して、各蓄電池６を充電しつつ、各蓄電池６の過充電を防止する。【００５２】  また、照明部３の第１ランプユニット２１の正極をＤＣ−ＤＣコンバータ７ｂの出力端子Ｄに接続し、第１ランプユニット２１の負極を制御部７ａの端子Ｅ、電流制限抵抗Ｒ１−１、及び端子Ｇを介して接地している。また、照明部３の第２ランプユニット２２の正極をＤＣ−ＤＣコンバータ７ｂの出力端子Ｄに接続し、第２ランプユニット２２の負極を制御部７ａの端子Ｆ、電流制限抵抗Ｒ１−２、ＦＥＴＱ３、及び端子Ｇを介して接地している。制御部７ａでは、ＦＥＴＱ２を端子ＧとＤＣ−ＤＣコンバータ７ｂの入力端子Ｃ間に挿入しており、ＦＥＴＱ２を点灯消灯回路７２によりオンオフ制御して、ＤＣ−ＤＣコンバータ７ｂから第１及び第２ランプユニット２１、２２への電力供給を制御し、第１及び第２ランプユニット２１、２２を点灯させたり消灯させ、日没から一定時間の点灯、地震発生の非常時の点灯、通常時に各蓄電池６の電圧Ｖｂが第１過放電圧Ｖ１よりも低くなたときの消灯、及び地震発生の非常時に各蓄電池６の電圧Ｖｂが第３過放電圧Ｖ３よりも低くなったときの消灯等を行なう。【００５３】  尚、電流制限抵抗Ｒ１−１は、第１ランプユニット２１の電流検出用の抵抗としても用いられる。第１及び第２ランプユニット２１、２２は、同一構成であって、同一電流が流れるため、第１ランプユニット２１の電流を検出すれば、第２ランプユニット２２の電流も分かる。【００５４】  更に、制御部７ａでは、ＦＥＴＱ３を照度回路７３によりオンオフ制御しており、地震発生の非常時に各蓄電池６の電圧Ｖｂが第２過放電圧Ｖ２よりも低くなると、第２ランプユニット２２を消灯する。【００５５】  図７は、制御部７ａの充電回路７１を示す回路図である。また、図８は、充電回路７１における各信号を示すタイミングチャートである。図７及び図８を参照しつつ、充電回路７１の動作を説明する。【００５６】  ここでは、各蓄電池６の電圧Ｖｂを各抵抗Ｒ３、Ｒ４により分圧し、抵抗Ｒ４の端子電圧を比較器ＣＭＰ１の反転入力端子に加えている。また、定電圧が印加されている可変抵抗器Ｒ２を調節することにより、比較器ＣＭＰ１の非反転入力端子の電圧レベルを各蓄電池６の電圧Ｖｂが満充電電圧Ｖ０に達したときの抵抗Ｒ４の端子電圧に設定している。従って、比較器ＣＭＰ１は、抵抗Ｒ４の端子電圧と可変抵抗器Ｒ２により設定された電圧を比較して、各蓄電池６の電圧Ｖｂが満充電電圧Ｖ０に達したか否かを判定することができる。【００５７】  さて、各蓄電池６の電圧Ｖｂが満充電電圧Ｖ０未満のときには、比較器ＣＭＰ１の出力がハイレベルとなり、ＲＳフリップフロップＦＦ１の／Ｓ端子入力がハイレベルとなって、ＲＳフリップフロップＦＦ１のＱ端子出力がローレベルに維持される。このＱ端子出力のローレベルにより図６のＦＥＴＱ１がオンとなり、太陽電池５から各蓄電池６への電流経路が導通し、各蓄電池６が充電される。【００５８】  時点Ｔ１で、各蓄電池６が満充電状態になり、各蓄電池６の電圧Ｖｂが満充電電圧Ｖ０以上になると、比較器ＣＭＰ１の出力がローレベルとなり、ＲＳフリップフロップＦＦ１の／Ｓ端子入力がローレベルとなって、ＲＳフリップフロップＦＦ１のＱ端子出力がハイレベルになる。【００５９】  ＲＳフリップフロップＦＦ１のＱ端子出力がハイレベルになると、図６のＦＥＴＱ１がオンからオフに切り換わって、太陽電池５から各蓄電池６への電流経路が遮断される。これにより、各蓄電池６の充電が停止され、各蓄電池６の過充電が防止される。【００６０】  また��ＲＳフリップフロップＦＦ１のＱ端子出力がハイレベルになると、発振器ＯＳＣ１の／ＲＳ端子入力もハイレベルになる。これに応答して発振器ＯＳＣ１は、一定周期のパルス信号の出力を開始する。そして、カウンターＣＮＴ１は、発振器ＯＳＣ１からのパルス信号をバイナリーカウントする。【００６１】  次に、時点Ｔ２で、カウンターＣＮＴ１によりバイナリーカウントされている２進数計数値が予め設定された値、例えば８１９２（＝２14-1）に達すると、カウンターＣＮＴ１は、Ｑ１４端子出力をハイレベルにする。【００６２】  カウンターＣＮＴ１のＱ１４端子出力がハイレベルになると、ノット回路ＮＯＴ１の出力がローレベルになり、ＲＳフリップフロップＦＦ１の／Ｒ端子入力がローレベルになって、ＲＳフリップフロップＦＦ１がリセットされ、ＲＳフリップフロップＦＦ１のＱ端子出力がローレベルになる。これに伴ってＲＳフリップフロップＦＦ１の／Ｑ端子出力がハイレベルになり、この／Ｑ端子出力のハイレベルによりカウンターＣＮＴ１がリセットされ、カウンターＣＮＴ１のＱ１４端子出力がローレベルに戻り、ＲＳフリップフロップＦＦ１の／Ｒ端子入力がハイレベルに戻る。これにより、充電回路７１が元の状態に戻される。【００６３】  以降同様に、各蓄電池６が満充電状態であって、各蓄電池６の電圧Ｖｂが満充電電圧Ｖ０以上であれば、カウンターＣＮＴ１による発振器ＯＳＣ１のパルス信号の計数期間だけ、ＲＳフリップフロップＦＦ１のＱ端子出力がハイレベルに維持されて、図６のＦＥＴＱ１がオンからオフに切り換わり、各蓄電池６の充電が停止され、各蓄電池６の過充電が防止される。【００６４】  尚、各蓄電池６の充電が停止され期間は、発振器ＯＳＣ１の発振周期もしくはカウンターＣＮＴ１のどの出力端子から検出するかを設定することにより調節することができる。【００６５】  図９は、制御部７ａの点灯消灯回路７２を示す回路図である。また、図１０及び図１１は、点灯消灯回路７２における各信号を示すタイミングチャートである。図９、図１０、及び図１１を参照しつつ、点灯消灯回路７２の動作を説明する。【００６６】  ここでは、各蓄電池６の電圧Ｖｂを各抵抗Ｒ７、Ｒ８により分圧し、抵抗Ｒ８の端子電圧を比較器ＣＭＰ２の反転入力端子に加えている。また、定電圧が印加されている可変抵抗器Ｒ６を調節することにより、比較器ＣＭＰ２の非反転入力端子の電圧レベルを各蓄電池６の電圧Ｖｂが第１過放電電圧Ｖ１に達したときの抵抗Ｒ８の端子電圧に設定している。従って、比較器ＣＭＰ２は、抵抗Ｒ８の端子電圧と可変抵抗器Ｒ６により設定された電圧を比較して、各蓄電池６の電圧Ｖｂが第１過放電電圧Ｖ１に達したか否かを判定することができる。【００６７】  また、太陽電池５の発電電圧Ｖａを各抵抗Ｒ１０、Ｒ１１により分圧し、抵抗Ｒ１１の端子電圧を比較器ＣＭＰ３の非反転入力端子に加えている。また、定電圧が印加されている可変抵抗器Ｒ１２を調節することにより、比較器ＣＭＰ３の反転入力端子の電圧レベルを太陽電池５の発電電圧Ｖａが日没後の電圧まで低下したときの抵抗Ｒ１１の端子電圧に設定している。従って、比較器ＣＭＰ３は、可変抵抗器Ｒ１２により設定された電圧と抵抗Ｒ１１の端子電圧を比��して、日没後か否かを判定することができる。【００６８】  更に、地震センサ８の検出出力をローパスフィルタＬＰＦを介して比較器ＣＭＰ４の非反転入力端子に加えている。また、定電圧が印加されている可変抵抗器Ｒ１５を調節することにより、比較器ＣＭＰ４の反転入力端子の電圧レベルを地震センサ８により地震が検出されたときのローパスフィルタＬＰＦの出力レベルよりも僅かに高く設定している。従って、比較器ＣＭＰ４は、可変抵抗器Ｒ１５により設定された電圧とローパスフィルタＬＰＦの出力レベルを比較して、地震が発生したか否かを判定することができる。【００６９】  また、各蓄電池６の電圧Ｖｂを各抵抗Ｒ２２、Ｒ２３により分圧し、抵抗Ｒ２３の端子電圧を比較器ＣＭＰ６の反転入力端子に加えている。また、定電圧が印加されている可変抵抗器Ｒ２１を調節することにより、比較器ＣＭＰ６の非反転入力端子の電圧レベルを各蓄電池６の電圧Ｖｂが第３過放電電圧Ｖ３に達したときの抵抗Ｒ２３の端子電圧に設定している。従って、比較器ＣＭＰ６は、抵抗Ｒ２３の端子電圧と可変抵抗器Ｒ２１により設定された電圧を比較して、各蓄電池６の電圧Ｖｂが第３過放電電圧Ｖ３に達したか否かを判定することができる。【００７０】  さて、地震が発生していない通常時には、地震センサ８の検出出力が変化せず、比較器ＣＭＰ４の出力がハイレベルとなり、ＲＳフリップフロップＦＦ２の／Ｒ端子入力もハイレベルとなる。このとき、ＲＳフリップフロップＦＦ２のＱ端子出力がハイレベルであり、ノア回路ＮＯＲ３の出力がローレベルに維持され続ける。【００７１】  このとき、ノア回路ＮＯＲ４の出力レベルは、ノア回路ＮＯＲ３の出力がローレベルに維持されることから、ノア回路ＮＯＲ２からの出力レベルのみに応答して変化する。また、ノア回路ＮＯＲ３のローレベルの出力は、ＤＣ−ＤＣコンバータ７ｂの駆動回路８１に加えられる。駆動回路８１は、ノア回路ＮＯＲ３の出力がローレベルであれば、ＦＥＴＱ４をオフ状態に維持し、ＤＣ−ＤＣコンバータ７ｂによる昇圧動作を行なわない。ただし、各蓄電池６がＤＣ−ＤＣコンバータ７ｂのリアクトル８２及びダイオード８３を通じて照明部３に接続されるので、各蓄電池６から照明部３への電力供給が可能である。【００７２】  すなわち、地震が発生していない通常時は、ノア回路ＮＯＲ４の出力レベルがノア回路ＮＯＲ２の出力レベルのみに応答して変化し、ノア回路ＮＯＲ３の出力を無視することができ、またＤＣ−ＤＣコンバータ７ｂによる昇圧動作が行われない。【００７３】  図１０に示す通常時において、昼間は、太陽電池５の発電電圧が高いことから、比較器ＣＭＰ３の非反転入力端子の電圧レベルが高くなって、比較器ＣＭＰ３の出力がハイレベルになっている。このため、ノア回路ＮＯＲ２の１つの入力がハイレベルとなって、ノア回路ＮＯＲ２の出力がローレベルとなり、ノア回路ＮＯＲ４の出力がハイレベルとなる。このノア回路ＮＯＲ４の出力のハイレベルにより図６のＦＥＴＱ２がオフとなり、各蓄電池６からＤＣ−ＤＣコンバータ７ｂを介して照明部３への電流経路が遮断され、照明部３が消灯される。【００７４】  図１０の時点Ｔ１１で、日没になると、太陽電池５が発電しないことから、比較器ＣＭＰ３の非反転入力端子の電圧レベルが低くなって、比較器ＣＭＰ３の出力がローレベルになり、ノア回路ＮＯＲ２の１つの入力がローレベルとなる。【００７５】  このとき、各蓄電池６の充電状態が良好であれば、各蓄電池６の電圧Ｖｂが第１過放電電圧Ｖ１を超えていることから、比較器ＣＭＰ２の出力がローレベルに維持される。また、カウンターＣＮＴ２のＱ１４端子出力がローレベルに初期設定されている。このため、ノア回路ＮＯＲ２の他の２つの入力もローレベルとなる。【００７６】  従って、ノア回路ＮＯＲ２の３つの入力がローレベルとなり、ノア回路ＮＯＲ２の出力がハイレベルとなって、ノア回路ＮＯＲ４の出力がローレベルとなる。このノア回路ＮＯＲ４の出力のローレベルにより図６のＦＥＴＱ２がオンとなり、各蓄電池６からＤＣ−ＤＣコンバータ７ｂを介して照明部３への電流経路が導通し、照明部３が点灯される。【００７７】  また、ノア回路ＮＯＲ１の２つの入力もローレベルとなり、ノア回路ＮＯＲ１の出力レベルがハイレベルとなって、発振器ＯＳＣ２の／ＲＳ端子入力もハイレベルになり、発振器ＯＳＣ２による一定周期のパルス信号の出力が開始される。そして、カウンターＣＮＴ２は、発振器ＯＳＣ２からのパルス信号をバイナリーカウントする。【００７８】  次に、図１０の時点Ｔ１２で、カウンターＣＮＴ２によりバイナリーカウントされている２進数計数値が予め設定された値、例えば８１９２（＝２14-1）に達すると、カウンターＣＮＴ２は、Ｑ１４端子出力をハイレベルにする。【００７９】  カウンターＣＮＴ２のＱ１４端子出力がハイレベルになると、ノア回路ＮＯＲ２の１つの入力がハイレベルとなって、ノア回路ＮＯＲ２の出力がローレベルとなり、ノア回路ＮＯＲ４の出力がハイレベルとなる。このノア回路ＮＯＲ４の出力のハイレベルにより図６のＦＥＴＱ２がオフとなり、各蓄電池６からＤＣ−ＤＣコンバータ７ｂを介して照明部３への電流経路が遮断され、照明部３が消灯される。【００８０】  また、ノア回路ＮＯＲ１の１つの入力がハイレベルとなって、ノア回路ＮＯＲ１の出力がローレベルとなるので、発振器ＯＳＣ２による一定周期のパルス信号の出力が停止され、カウンターＣＮＴ２のＱ１４端子出力のハイレベルが維持され、ノア回路ＮＯＲ２のローレベルの出力、及びノア回路ＮＯＲ４のハイレベルの出力も維持される。【００８１】  従って、日没になってから、カウンターＣＮＴ２による一定の計数が終了するまで、つまり日没から一定時間だけ照明部３が点灯され、この後に照明部３が消灯される。この一定の点灯時間は、先に述べた様に１〜１０時間の任意の時間に設定でき、日没から日の出までと設定することもできる。【００８２】  この後、図１０の時点Ｔ１３で、日の出になると、太陽電池５の発電電力が上昇することから、比較器ＣＭＰ３の非反転入力端子の電圧レベルが高くなって、比較器ＣＭＰ３の出力がハイレベルになり、このハイレベルの出力によりカウンターＣＮＴ２の計数値が初期値に戻り、カウンターＣＮＴ２の出力がローレベルに戻される。【００８３】  ただし、カウンターＣＮＴ２の出力がローレベルに戻っても、比較器ＣＭＰ３の出力がハイレベルであって、ノア回路ＮＯＲ２の他の１��の入力がハイレベルとなるので、ノア回路ＮＯＲ２のローレベルの出力、及びノア回路ＮＯＲ４のハイレベルの出力が維持され、図６のＦＥＴＱ２がオフのままであり、照明部３が消灯され続ける。【００８４】  以降同様に、日々の日没毎に、日没から一定時間だけ照明部３が点灯され、この後に照明部３が消灯される。【００８５】  また、無日照の日々が連続し、照明部３の点灯により各蓄電池６の電力が消費されるばかりで、各蓄電池６の電力量が増えず、このために図１０の時点Ｔ１４で、各蓄電池６の電圧Ｖｂが第１過放電電圧Ｖ１以下になると、比較器ＣＭＰ２の出力がハイレベルになる。【００８６】  この場合は、ノア回路ＮＯＲ２の１つの入力がハイレベルに維持されるので、比較器ＣＭＰ３の出力レベルにかかわらず、つまり昼夜にかかわらず、ノア回路ＮＯＲ２のローレベルの出力、及びノア回路ＮＯＲ４のハイレベルの出力が維持され、図６のＦＥＴＱ２がオフのままとなり、照明部３が消灯され続ける。これにより、各蓄電池６の過放電状態が抑えられて、各蓄電池６の寿命の低下が防止される。【００８７】  次に、図１１に示す様に時点Ｔ２１で、地震が発生すると、地震センサ８により電流経路が繰り返し遮断され、ローパスフィルタＬＰＦの出力レベルが低下し、比較器ＣＭＰ４の出力がローレベルとなり、ＲＳフリップフロップＦＦ２の／Ｒ端子入力がハイレベルとなって、ＲＳフリップフロップＦＦ２のＱ端子出力がローレベルとなり、ノア回路ＮＯＲ３の１つの入力がローレベルとなる。【００８８】  このとき、夜間であれば、太陽電池５が発電しないことから、比較器ＣＭＰ３の非反転入力端子の電圧レベルが低くなって、比較器ＣＭＰ３の出力がローレベルになる。また、各蓄電池６の電圧Ｖｂが第３過放電電圧Ｖ３を超えていれば、比較器ＣＭＰ６の出力がローレベルに維持される。このため、ノア回路ＮＯＲ３の他の２つの入力もローレベルとなる。【００８９】  従って、ノア回路ＮＯＲ３の３つの入力がローレベルとなり、ノア回路ＮＯＲ３の出力がハイレベルとなって、ノア回路ＮＯＲ４の出力がローレベルとなる。このノア回路ＮＯＲ４の出力のローレベルにより図６のＦＥＴＱ２がオンとなり、各蓄電池６からＤＣ−ＤＣコンバータ７ｂを介して照明部３への電流経路が導通し、照明部３が点灯される。【００９０】  同時に、ノア回路ＮＯＲ３のハイレベルの出力がＤＣ−ＤＣコンバータ７ｂの駆動回路８１に加えられる。駆動回路８１は、ノア回路ＮＯＲ３からのハイレベルの出力に応答して、ＦＥＴＱ４をオンオフ制御し、ＤＣ−ＤＣコンバータ７ｂによる昇圧動作を行なう。これにより、照明部３の印加電圧が高められて、照明部３の照度が上昇する。【００９１】  ＤＣ−ＤＣコンバータ７ｂは、ＦＥＴＱ４、リアクトル８２、ダイオード８３、及びコンデンサ８４を備えており、図１２に示す様にＦＥＴＱ４をオンにして、ＦＥＴＱ４に電流Ｉｑ４を流し、リアクトル８２にエネルギーを貯め、ＦＥＴＱ４をオフにして、ＦＥＴＱ４の電流Ｉｑ４の流れを止め、リアクトル８２のエネルギーをコンデンサ８４に充電し、これを繰り返して昇圧電圧を出力している。【００９２】  尚、ＶＬはリアクトル８２の電圧、ＩＬはリアクトル８２の電流、ＩＤ２はダ��オード８３の電流、Ｖｑ４はＦＥＴＱ４の電圧である。【００９３】  この様に地震発生の非常時には、夜間の如何なる時間であっても、照明部３が通常時よりも高い照度で点灯する。これにより、人々に与える印象が大きくなり、照明装置１による避難場所などの目印としての役割を十分に果たすことができる。【００９４】  また、ＲＳフリップフロップＦＦ２のＱ端子出力がローレベルになると、カウンターＣＮＴ３のＲＳ端子入力もローレベルとなり、カウンターＣＮＴ３による計数動作が開始される。【００９５】  次に、図１１の時点Ｔ２２で、日の出になると、太陽電池５の発電電圧が上昇することから、比較器ＣＭＰ３の非反転入力端子の電圧レベルが高くなって、比較器ＣＭＰ３の出力がハイレベルとなり、ノア回路ＮＯＲ３の他の１つの入力がハイレベルになる。このため、ノア回路ＮＯＲ３の出力がローレベルとなり、ノア回路ＮＯＲ４の出力がハイレベルとなる。このノア回路ＮＯＲ４の出力のハイレベルにより図６のＦＥＴＱ２がオフとなり、照明部３が消灯される。【００９６】  また、カウンターＣＮＴ３は、比較器ＣＭＰ３の出力をノット回路ＮＯＴ３を介して入力しており、ノット回路ＮＯＴ３の出力がハイレベルからローレベルに変化したときに計数値を歩進して、日の出の回数を計数する。【００９７】  尚、先に述べた様に昼間は、ノア回路ＮＯＲ２の出力もローレベルとなることから、ノア回路ＮＯＲ４の出力が必ずハイレベルとなる。【００９８】  次に、図１１の時点Ｔ２３で、日没になると、太陽電池５が発電しないことから、比較器ＣＭＰ３の非反転入力端子の電圧レベルが低くなって、比較器ＣＭＰ３の出力がローレベルになり、ＮＯＲ３の１つの入力がローレベルとなる。【００９９】  このときにも、ＲＳフリップフロップＦＦ２のＱ端子出力がローレベルに維持される。また、各蓄電池６の電圧Ｖｂが第３過放電電圧Ｖ３を超えていれば、比較器ＣＭＰ６の出力がローレベルに維持される。このため、ノア回路ＮＯＲ３の他の２つの入力もローレベルとなる。【０１００】  従って、ノア回路ＮＯＲ３の３つの入力がローレベルとなり、ノア回路ＮＯＲ３の出力がハイレベルとなって、ノア回路ＮＯＲ４の出力がローレベルとなる。このノア回路ＮＯＲ４の出力のローレベルにより図６のＦＥＴＱ２がオンとなり、照明部３が点灯される。同時に、ノア回路ＮＯＲ３のハイレベルの出力がＤＣ−ＤＣコンバータ７ｂの駆動回路８１に加えられて、昇圧動作が行なわれ、照明部３の照度が上昇する。【０１０１】  尚、地震発生の非常時にも、ノア回路ＮＯＲ１、ノア回路ＮＯＲ２、発振器ＯＳＣ２、及びカウンターＣＮＴ２が動作しているものの、ノア回路ＮＯＲ２の出力がハイレベルになっている期間は、ノア回路ＮＯＲ３の出力がハイレベルに必ずなっているので、ノア回路ＮＯＲ２の出力レベルを無視することができる。【０１０２】  また、照明部３の点灯により各蓄電池６の電力が消費され、各蓄電池６の電圧Ｖｂが第１過放電電圧Ｖ１以下になり、比較器ＣＭＰ２の出力がハイレベルになったときには、ノア回路ＮＯＲ２の１つの入力がハイレベルになって、ノア回路ＮＯＲ２の出力がローレベルになる。このとき、ノア回路ＮＯＲ４の出力レベルは、ノア回路ＮＯＲ２の出力がローレベルに維持されることから、ノア回路ＮＯＲ３からの出力レベルのみに応答して変化する。従って、やはりノア回路ＮＯＲ２の出力レベルが無視され、各蓄電池６の電圧Ｖｂが第１過放電電圧Ｖ１以下になっても、ノア回路ＮＯＲ３からの出力レベルにより照明部３の点灯が可能である。【０１０３】  次に、図１１の時点Ｔ２４で、日の出になると、太陽電池５の発電電圧が上昇することから、比較器ＣＭＰ３の非反転入力端子の電圧レベルが高くなって、比較器ＣＭＰ３の出力がハイレベルとなり、ノア回路ＮＯＲ３の１つの入力がハイレベルになる。このため、ノア回路ＮＯＲ３の出力がローレベルとなり、ノア回路ＮＯＲ４の出力がハイレベルとなる。このノア回路ＮＯＲ４の出力のハイレベルにより図６のＦＥＴＱ２がオフとなり、照明部３が消灯される。【０１０４】  また、カウンターＣＮＴ３は、比較器ＣＭＰ３の出力をノット回路ＮＯＴ３を介して入力し、ノット回路ＮＯＴ３の出力がハイレベルからローレベルに変化したときに計数値を歩進して、日の出の回数を計数する。【０１０５】  以降同様に、日没になると、照明部３が通常よりも高い照度で点灯され、日の出になると、照明部３が消灯されて、カウンターＣＮＴ３の計数値が歩進される。【０１０６】  そして、時点Ｔ２５で、地震が発生してから第３日目の夜が終了して、日の出になると、カウンターＣＮＴ３の計数値が予め設定された値（例えば３）に達して、カウンターＣＮＴ３の出力がハイレベルとなり、単安定発振器ＯＳＣ３のＡ端子入力もハイレベルになり、単安定発振器ＯＳＣ３からＲＳフリップフロップＦＦ２の／Ｓ端子へと１つのパルス信号が加えられる。これに応答してＲＳフリップフロップＦＦ２のＱ端子出力がハイレベルに切り換えられる。【０１０７】  これにより、以降は、ノア回路ＮＯＲ３の出力がローレベルに維持され続ける。従って、ノア回路ＮＯＲ４の出力レベルがノア回路ＮＯＲ２からの出力レベルのみに応答して変化することになり、通常の動作に戻る。【０１０８】  従って、地震発生の非常時には、第３日目の夜まで、夜毎に、照明部３が通常よりも高い照度で点灯される。このため、大地震による停電が２〜３日程度続いても、夜の照明が繰り返される。【０１０９】  また、地震発生の非常時に、照明部３の点灯により各蓄電池６の電力が消費されるばかりで、各蓄電池６の電力量が増えず、このために各蓄電池６の電圧Ｖｂが第３過放電電圧Ｖ３以下になると、比較器ＣＭＰ６の出力がハイレベルになる。【０１１０】  この場合は、ノア回路ＮＯＲ３の１つの入力がハイレベルに維持されるので、比較器ＣＭＰ３の出力レベルにかかわらず、つまり昼夜にかかわらず、ノア回路ＮＯＲ３のローレベルの出力、及びノア回路ＮＯＲ４のハイレベルの出力が維持され、図６のＦＥＴＱ２がオフのままとなり、照明部３が消灯され続ける。これにより、各蓄電池６の過放電状態に限度が与えられ、各蓄電池６の再充電が可能になる。【０１１１】  図１３は、制御部７ａの照度回路７３を示す回路図である。【０１１２】  この照度回路７３では、各蓄電池６の電圧Ｖｂを各抵抗Ｒ１７、Ｒ１８により分圧し、抵抗Ｒ１８の端子電圧を比較器ＣＭＰ５の非反転入力端子に加えている。���た、定電圧が印加されている可変抵抗器Ｒ１９を調節することにより、比較器ＣＭＰ５の反転入力端子の電圧レベルを各蓄電池６の電圧Ｖｂが第２過放電電圧Ｖ２に達したときの抵抗Ｒ１８の端子電圧に設定している。従って、比較器ＣＭＰ５は、抵抗Ｒ１８の端子電圧と可変抵抗器Ｒ１９により設定された電圧を比較して、各蓄電池６の電圧Ｖｂが第２過放電電圧Ｖ２に達したか否かを判定することができる。【０１１３】  先に述べた様に地震発生の非常時には、各蓄電池６の電圧Ｖｂが第１過放電電圧Ｖ１以下になっても、照明部３が点灯され、その照度が通常よりも高くされる。従って、照明部３の消費電力も増大することになり、このために短期間で各蓄電池６の電圧Ｖｂが第３過放電電圧Ｖ３に達してしまい、照明部３の点灯を第３日目の夜まで継続することができなくなる虞がある。【０１１４】  そこで、比較器ＣＭＰ５は、各蓄電池６の電圧Ｖｂが第２過放電電圧Ｖ２に達すると、ハイレベルの出力をＦＥＴＱ３のゲートに加えて、ＦＥＴＱ３をオフに切り換えて、照明部３の第２ランプユニット２２の電流経路を遮断し、第２ランプユニット２２を消灯させる。【０１１５】  これにより、各蓄電池６の電圧Ｖｂが第２過放電電圧Ｖ２に低下してからは、照明部３の消費電力が節減され、照明装置１の照明期間を長くすることができ、大地震による停電が２〜３日程度続いても、夜の照明を繰り返すことが可能になり、人々からの期待を裏切ることがない。【０１１６】 通常時の点灯時間は、図１０に示すように、日没のＴ１１から点灯設定時間Ｔ１２までであるが、地震センサによる地震の検出時には、点灯時間は延長され、図１１に示すようにＴ２３の日没からＴ２４の日の出までとなる。この日没から日の出までの時間設定は、用途に応じて変更してもよい。尚、図１１では地震センサによる設定日数が３日とされているが、これも用途に応じて変更してもよい。【０１１７】  尚、本発明は、上記実施例に限定されるものではなく、多様に変形することができる。例えば、地震発生の非常時に、各蓄電池６の放電状態を検出し、この放電状態に応じて照明部３の照度を調節しも良い。これにより、照明部３の照度の上昇と、各蓄電池６の過放電状態の抑制との両立を図ることができる。【０１１８】  また、各ＬＥＤランプの個数や配置、及びＬＥＤランプの各ＬＥＤの個数や配置を適宜に変更しても良い。また、照明部３の照明方向を適宜に変更したり調節可能な構造を採用しても構わない。また、照明部３の照射光の色を相互に異ならせても良い。【０１１９】  更に、照明部３として、ＬＥＤランプの代わりに、他の種類の光源を採用しても良い。例えば、光源として蛍光灯を採用しても構わない。この場合は、蛍光灯を点灯させるためにインバータを用い、インバータにより蛍光灯に印加される交流電圧の周波数を変更することにより、蛍光灯の照度を上昇させれば良い。
【産業上の利用可能性】
【０１２０】  本発明の照明装置は、地震などの災害時に停電が続いても、夜間における常夜灯や避難場所の目印などとして機能し、非常時における信頼性の高い照明装置として有益である。
【図面の簡単な説明】
【０１２１】
【図１】本発明の照明装置の実施例１を示す斜視図である。
【図２】照明部のＬＥＤランプを示す側面図である。
【図３】太陽電池、支持枠、及びシャフト等を示す断面図である。
【図４】太陽電池、蓄電池、制御部、ＤＣ−ＤＣコンバータ、及び地震センサを概略的に示すブロック図である。
【図５】蓄電池の満充電電圧、第１過放電電圧、第２過放電電圧、及び第３過放電電圧の高低を示す図である。
【図６】制御部及びＤＣ−ＤＣコンバータとその周辺を概略的に示す回路図である。
【図７】制御部の充電回路を示す回路図である。
【図８】充電回路における各信号を示すタイミングチャートである。
【図９】制御部の点灯消灯回路を示す回路図である。
【図１０】点灯消灯回路における通常時の各信号を示すタイミングチャートである。
【図１１】点灯消灯回路における非常時の各信号を示すタイミングチャートである。
【図１２】ＤＣ−ＤＣコンバータにおける各信号を示すタイミングチャートである。
【図１３】制御部の照度回路を示す回路図である。
【符号の説明】
【０１２２】１  照明装置２  支柱３  照明部５  太陽電池６  蓄電池７  充放電ユニット７ａ  制御部７ｂ  ＤＣ−ＤＣコンバータ８  地震センサ１１  ベースプレート１２  補強板２１  第１ランプユニット２２  第２ランプユニット７１  充電回路７２  点灯消灯回路７３  照度回路
【国際調査報告】
2005086542.tif 000015
2005086542.tif 000016
2005086542.tif 000017
2005086542.tif 000018